(57)【要約】  共有スペクトルにおけるマルチプロトコル送信のための方法およびシステムが開示される。本明細書に記載される原理によると、ワイヤレス送信機は、１つのＯＦＤＭ技術からのサブキャリアまたはシンボル情報を別のＯＦＤＭ技術のサブキャリアを使用して生成するように構成される。このアプローチによって、１つのＯＦＤＭプロトコルに関連付けられた、サブキャリアおよびサブキャリア周波数間隔を使用してＯＦＤＭシンボルを送信するように構成されるワイヤレス送信機は、また、通常は、異なるサブキャリアおよび異なるサブキャリア周波数間隔を使用する別のＯＦＤＭプロトコルに関連付けられたＯＦＤＭシンボルを送信するように構成可能である。１つの応用では、ＬＴＥ送信機は、Ｗｉ−Ｆｉ受信機によって理解可能である８０２．１１（例えば、Ｗｉ−Ｆｉ）サブキャリアまたはシンボル情報を生成するために、例えば、ある特定の期間チャネルを予約するために、進行中および／またはこれから生じるシンボル送信に関連付けられた送信時間を指示するために、または、キャリア検知指示をもたらすために、例えば、Ｗｉ−Ｆｉ受信機および他の無線技術がチャネルをビジーであると見なすようにするために、ＬＴＥサブキャリアを使用する。【選択図】図３
2019503111.tif 000002
【特許請求の範囲】
【請求項１】
基本シンボル継続時間を規定する基本サブキャリア周波数間隔を有する基本の複数のサブキャリアを使用して、ＯＦＤＭシンボルの第１のセット（１０４）を送信するように構成されるワイヤレスＯＦＤＭ送信機（３００、３５０）のための方法であって、
前記基本の複数のサブキャリアを使用して、１つの基本シンボル継続時間（１０２）中にＯＦＤＭシンボルの第２のセット（１１０、１１２、１１４）を送信すること（８０２）を含み、前記ＯＦＤＭシンボルの第２のセット（１１０、１１２、１１４）のそれぞれは第２のサイクリックプレフィックス（ＣＰ）を含み、かつ前記基本シンボル継続時間より短い第２のシンボル継続時間を有する、方法。
【請求項２】
前記基本の複数のサブキャリアを使用して、ＯＦＤＭシンボルの第１のセット（１０４）を送信すること（８０４）をさらに含み、前記ＯＦＤＭシンボルの第１のセット（１０４）のそれぞれは基本ＣＰを含み、かつ基本シンボル継続時間を有する、請求項１に記載の方法。
【請求項３】
前記基本の複数のサブキャリアを使用して、１つの基本シンボル継続時間中にＯＦＤＭシンボルの第３のセットを送信すること（８０６）をさらに含み、前記ＯＦＤＭシンボルの第３のセットのそれぞれは第３のＣＰを含み、かつ前記基本シンボル継続時間より短い第３のシンボル継続時間を有する、請求項１に記載の方法。
【請求項４】
前記ＯＦＤＭシンボルの第１のセット（１０４）は、第１のＯＦＤＭ通信プロトコルに関連付けられたデータを含み、前記ＯＦＤＭシンボルの第２のセット（１１０、１１２、１１４）は、前記第１のＯＦＤＭ通信プロトコルと異なる第２のＯＦＤＭ通信プロトコルに関連付けられたデータを含む、請求項２に記載の方法。
【請求項５】
前記第１のＯＦＤＭ通信プロトコルはＬＴＥプロトコルを含み、前記第２のＯＦＤＭ通信プロトコルは８０２．１１プロトコルを含む、請求項４に記載の方法。
【請求項６】
前記ＯＦＤＭシンボルの第２のセット（１１０、１１２、１１４）を送信すること（８０２）は、時間領域および周波数領域のうちの１つにおける所定のＯＦＤＭ信号に基づき、前記所定のＯＦＤＭ信号は前記第２のＯＦＤＭ通信プロトコルに関連付けられたデータを包含する、請求項４に記載の方法。
【請求項７】
前記ＯＦＤＭシンボルの第２のセット（１１０、１１２、１１４）を送信すること（８０２）は、前記基本の複数のサブキャリアに対する変調値の所定のセットに基づき、前記変調値の所定のセットは前記第２のＯＦＤＭ通信プロトコルに関連付けられたデータに対応する、請求項４に記載の方法。
【請求項８】
前記ＯＦＤＭシンボルの第２のセット（１１０、１１２、１１４）における送信のために、時間領域および周波数領域のうちの１つにおいてＯＦＤＭ信号を生成することをさらに含み、前記ＯＦＤＭ信号は前記基本の複数のサブキャリアと異なる第２の複数のサブキャリアを使用して生成され、前記第２の複数のサブキャリアは前記第２のシンボル継続時間を規定する第２のサブキャリア周波数間隔を有する、請求項１に記載の方法。
【請求項９】
生成された前記ＯＦＤＭ信号は前記第２のＯＦＤＭ通信プロトコルに関連付けられ、前記方法は、前記基本の複数のサブキャリアを使用して生成された前記ＯＦＤＭ信号を内挿して、ＯＦＤＭ信号を生じさせて前記ＯＦＤＭシンボルの第２のセットを形成することをさらに含む、請求項８に記載の方法。
【請求項１０】
前記ＯＦＤＭシンボルの第２のセット（１１０、１１２、１１４）は前記第２のＯＦＤＭ通信プロトコルに関連付けられた制御データを含み、前記制御データは、前記ＯＦＤＭシンボルの第１のセットおよび第２のセットのうちの少なくとも１つに関連付けられた、送信長、送信時間、送信タイプ、およびチャネル予約時間のうちの１つを指示している、請求項４に記載の方法。
【請求項１１】
前記制御データは、ショートトレーニングフィールド（ＳＴＦ）データ、ロングトレーニングフィールド（ＬＴＦ）データ、信号フィールド（ＳＩＧ）データのうちの１つを含む、請求項１０に記載の方法。
【請求項１２】
前記ＯＦＤＭシンボルの第２のセット（１１０、１１２、１１４）は前記第２のＯＦＤＭ通信プロトコルに関連付けられたパケットデータを含み、前記パケットデータは、前記ＯＦＤＭシンボルの第１のセットおよび第２のセット（１１０、１１２、１１４、１０４）のうちの少なくとも１つに関連付けられた、送信長、送信時間、送信タイプ、およびチャネル予約時間のうちの１つを指示している、請求項４に記載の方法。
【請求項１３】
前記パケットデータは、前記ＯＦＤＭシンボルの第１のセットおよび第２のセット（１１０、１１２、１１４、１０４）のうちの少なくとも１つに関連付けられた送信終了時間を指示するタイマ値を有するＣｌｅａｒ  ｔｏ  Ｓｅｎｄ（ＣＴＳ）フレームを含む、請求項１２に記載の方法。
【請求項１４】
前記ＯＦＤＭシンボルの第１のセットおよび第２のセット（１１０、１１２、１１４、１０４）は、連続送信および非連続送信のうちの１つとして、順に送信される、請求項２に記載の方法。
【請求項１５】
前記ＯＦＤＭシンボルの第１のセットおよび第２のセット（１１０、１１２、１１４、１０４）は、遅延によって分離される非連続送信として送信され、前記ＯＦＤＭシンボルの第２のセット（１１０、１１２、１１４）は前記ＯＦＤＭシンボルの第１のセット（１０４）の送信を完了する時間を指示するデータを含む、請求項１４に記載の方法。
【請求項１６】
前記ＯＦＤＭシンボルの第２のセット（１１０、１１２、１１４）は、前記ＯＦＤＭシンボルの第１のセット（１０４）に関連付けられた、ＯＦＤＭタイプ、ＯＦＤＭモード、およびＯＦＤＭパラメータのうちの１つを指示するＯＦＤＭ指示、シンボル継続時間、ＣＰ継続時間、サブキャリアの数、サブキャリア間隔、サブキャリア変調フォーマット、およびサブキャリア周波数セットを含む、請求項４に記載の方法。
【請求項１７】
基本シンボル継続時間を規定する基本サブキャリア周波数間隔を有する基本の複数のサブキャリアを使用してＯＦＤＭシンボルの第１のセット（１０４）を送信するように構成されるＯＦＤＭ送信機（３００、３５０）であって、前記ＯＦＤＭ送信機（３００、３５０）は、実行される時、前記送信機（３００、３５０）に、前記基本の複数のサブキャリアを使用して、１つの基本シンボル継続時間（１０２）の間にＯＦＤＭシンボルの第２のセット（１１０、１１２、１１４）を送信させる命令を包含する回路構成であって、前記ＯＦＤＭシンボルの第２のセット（１１０、１１２、１１４）はそれぞれ第２のサイクリックプレフィックス（ＣＰ）を含み、かつ前記基本シンボル継続時間より短い第２のシンボル継続時間を有する、回路構成を含む、ＯＦＤＭ送信機（３００、３５０）。
【請求項１８】
前記命令は、前記送信機（３００、３５０）に、前記基本の複数のサブキャリアを使用してＯＦＤＭシンボルの第１のセット（１０４）を送信させるようにさらに構成され、前記ＯＦＤＭシンボルの第１のセット（１０４）のそれぞれは、第１のＣＰを含み、かつ前記基本シンボル継続時間に等しい第１のシンボル継続時間を有する、請求項１７に記載のＯＦＤＭ送信機（３００、３５０）。
【請求項１９】
前記命令は、前記送信機（３００、３５０）に、前記基本の複数のサブキャリアを使用して、１つの基本シンボル継続時間中にＯＦＤＭシンボルの第３のセットを送信させるようにさらに構成され、前記ＯＦＤＭシンボルの第３のセットのそれぞれは、第３のＣＰを含み、かつ前記基本シンボル継続時間より短い第３のシンボル継続時間を有する、請求項１７に記載のＯＦＤＭ送信機（３００、３５０）。
【請求項２０】
前記ＯＦＤＭシンボルの第１のセット（１０４）は第１のＯＦＤＭ通信プロトコルに関連付けられたデータを含み、前記ＯＦＤＭシンボルの第２のセット（１１０、１１２、１１４）は前記第１のＯＦＤＭ通信プロトコルと異なる第２のＯＦＤＭ通信プロトコルに関連付けられたデータを含む、請求項１８に記載のＯＦＤＭ送信機（３００、３５０）。
【請求項２１】
前記第１のＯＦＤＭ通信プロトコルはＬＴＥプロトコルであり、前記第２のＯＦＤＭ通信プロトコルは８０２．１１プロトコルである、請求項１８に記載のＯＦＤＭ送信機（３００、３５０）。
【請求項２２】
前記命令は、前記送信機（３００、３５０）に、時間領域および周波数領域のうちの１つにおける所定のＯＦＤＭ信号に基づいて前記ＯＦＤＭシンボルの第２のセット（１１０、１１２、１１４）を送信させるように構成され、前記所定のＯＦＤＭ信号は前記第２のＯＦＤＭ通信プロトコルに関連付けられたデータを包含する、請求項２０に記載のＯＦＤＭ送信機（３００、３５０）。
【請求項２３】
前記命令は、前記送信機（３００、３５０）に、前記基本の複数のサブキャリアに対する変調値の所定のセットに基づいて前記ＯＦＤＭシンボルの第２のセット（１１０、１１２、１１４）を送信させるように構成され、前記変調値の所定のセットは前記第２のＯＦＤＭ通信プロトコルに関連付けられたデータに対応する、請求項２０に記載のＯＦＤＭ送信機（３００、３５０）。
【請求項２４】
前記命令は、前記送信機（３００、３５０）に、前記ＯＦＤＭシンボルの第２のセット（１１０、１１２、１１４）における送信のために、時間領域および周波数領域のうちの１つにおいてＯＦＤＭ信号を生成させるようにさらに構成され、前記ＯＦＤＭ信号は前記基本の複数のサブキャリアと異なる第２の複数のサブキャリアを使用して生成され、前記第２の複数のサブキャリアは前記第２のシンボル継続時間を規定する第２のサブキャリア周波数間隔を有する、請求項１７に記載のＯＦＤＭ送信機（３００、３５０）。
【請求項２５】
生成された前記ＯＦＤＭ信号は前記第２のＯＦＤＭ通信プロトコルに関連付けられ、前記命令は、前記送信機（３００、３５０）に、前記基本の複数のサブキャリアを使用して生成された前記ＯＦＤＭ信号を内挿して、ＯＦＤＭ信号を生じさせて前記ＯＦＤＭシンボルの第２のセット（１１０、１１２、１１４）を形成させるようにさらに構成される、請求項２４に記載のＯＦＤＭ送信機（３００、３５０）。
【請求項２６】
前記ＯＦＤＭシンボルの第２のセット（１１０、１１２、１１４）は前記第１のＯＦＤＭ通信プロトコルに関連付けられた制御データを含み、前記制御データは、前記ＯＦＤＭシンボルの第１のセットおよび第２のセット（１１０、１１２、１１４、１０４）のうちの少なくとも１つに関連付けられた、送信長、送信時間、送信タイプ、およびチャネル予約時間のうちの１つを指示している、請求項２０に記載のＯＦＤＭ送信機（３００、３５０）。
【請求項２７】
前記制御データは、ショートトレーニングフィールド（ＳＴＦ）データ、ロングトレーニングフィールド（ＬＴＦ）データ、信号フィールド（ＳＩＧ）データのうちの１つを含む、請求項２６に記載のＯＦＤＭ送信機（３００、３５０）。
【請求項２８】
前記ＯＦＤＭシンボルの第２のセット（１１０、１１２、１１４）は前記第２のＯＦＤＭ通信プロトコルに関連付けられたパケットデータを含み、前記パケットデータは、前記ＯＦＤＭシンボルの第１のセットおよび第２のセット（１１０、１１２、１１４、１０４）のうちの少なくとも１つに関連付けられた、送信長、送信時間、送信タイプ、およびチャネル予約時間のうちの１つを指示している、請求項２０に記載のＯＦＤＭ送信機（３００、３５０）。
【請求項２９】
前記パケットデータは、前記ＯＦＤＭシンボルの第１のセットおよび第２のセット（１１０、１１２、１１４、１０４）のうちの少なくとも１つに関連付けられた送信終了時間を指示するタイマ値を有するＣｌｅａｒ  ｔｏ  Ｓｅｎｄ（ＣＴＳ）フレームを含む、請求項２８に記載のＯＦＤＭ送信機（３００、３５０）。
【請求項３０】
前記ＯＦＤＭシンボルの第１のセットおよび第２のセット（１１０、１１２、１１４、１０４）は、連続送信および非連続送信のうちの１つとして、順に送信される、請求項１８に記載のＯＦＤＭ送信機（３００、３５０）。
【請求項３１】
前記ＯＦＤＭシンボルの第１のセットおよび第２のセット（１１０、１１２、１１４、１０４）は、遅延によって分離される非連続送信として送信され、前記ＯＦＤＭシンボルの第２のセット（１１０、１１２、１１４）は前記ＯＦＤＭシンボルの第１のセット（１０４）の送信を完了する時間を指示するデータを含む、請求項３０に記載のＯＦＤＭ送信機（３００、３５０）。
【請求項３２】
前記ＯＦＤＭシンボルの第２のセット（１１０、１１２、１１４）は、前記ＯＦＤＭシンボルの第１のセット（１０４）に関連付けられた、ＯＦＤＭタイプ、ＯＦＤＭモード、およびＯＦＤＭパラメータのうちの１つを指示するＯＦＤＭ指示、シンボル継続時間、ＣＰ継続時間、サブキャリアの数、サブキャリア間隔、サブキャリア変調フォーマット、およびサブキャリア周波数セットを含む、請求項２０に記載のＯＦＤＭ送信機（３００、３５０）。
【発明の詳細な説明】
【技術分野】
【０００１】
本開示は、ワイヤレス通信システムに関し、とりわけ、ワイヤレス通信ネットワークにおけるマルチプロトコル送信の方法およびシステムに関する。
【背景技術】
【０００２】
直交周波数分割多重（ＯＦＤＭ）は、有線技術からワイヤレス技術に及ぶ多くの通信技術によって使用される主要な符号化方法になっている。実際に、ＯＦＤＭの使用は浸透しており、プレインオールドテレフォンサービス（ＰＯＴＳ）銅配線上のデジタル加入者線（ＤＳＬ）、非対称ＤＳＬ（ＡＤＳＬ）および超高速ビットレートＤＳＬ（ＶＤＳＬ）ブロードバンドアクセス技術、デジタルビデオブロードキャスティング（ＤＶＢ）、電力線通信（ＰＬＣ）、宅内配線ＬＡＮ用のＩＴＵ−Ｔ  Ｇ．ｈｎ、電話モデム、ブロードバンド配信用のＤＯＣＳＩＳ（Ｄａｔａ  Ｏｖｅｒ  Ｃａｂｌｅ  Ｓｙｓｔｅｍ  Ｉｎｔｅｒｆａｃｅ  Ｓｐｅｃｉｆｉｃａｔｉｏｎ）、ＭｏＣＡ（Ｍｕｌｔｉｍｅｄｉａ  Ｏｖｅｒ  Ｃｏａｘ  Ａｌｌｉａｎｃｅ）ホームネットワーキングなどの有線通信、ならびに、ＩＥＥＥ  ８０２．１１（例えば、Ｗｉ−Ｆｉ）ＨＩＰＥＲＬＡＮ、デジタルＴＶ、パーソナルエリアネットワーク（ＰＡＮ）、および超広帯域ネットワーク（ＵＷＢ）を含むワイヤレス通信を含むがこれらに限定されない多くの技術によって用いられている。
【０００３】
ＯＦＤＭ、およびこのマルチプルアクセスバリアントＯＦＤＭＡは、例えば、Ｌｏｎｇ−Ｔｅｒｍ  Ｅｖｏｌｕｔｉｏｎ（ＬＴＥ）および拡張ユニバーサル移動体通信システム地上無線アクセス（Ｅ−ＵＴＲＡ）ネットワークなどの第３世代パートナーシッププロジェクト（３ＧＰＰ）ベースワイヤレスネットワークだけでなく、モバイルブロードバンドワイヤレスアクセス（ＭＢＷＡ、ＩＥＥＥ  ８０２．２０とも称される）などのＩＥＥＥベースネットワークにおいて増えつつある応用を見出し続けている。次世代モバイルネットワークは、この新規の刺激的な製品発展に対するプラットフォームとしてＯＦＤＭを使用することを計画しており、さらにまた、Ｗｉｒｅｌｅｓｓ  Ｇｉｇａｂｉｔ  Ａｌｌｉａｎｃｅ（ＷｉＧｉｇ）は、会議室のセルサイズで１秒当たり１００ギガビット（Ｇｂｐｓ）のデータレートを達成できるように、６０ＧＨｚ周波数帯域においてＯＦＤＭを使用することを計画している。
【０００４】
これらの技術は全てＯＦＤＭに基づいているが、これらの技術の実装形態にはかなりの相違がある。ＯＦＤＭは、マルチプル直交サブキャリアをもたらして並列データストリームを伝送するために周波数分割多重を使用するデジタル変調技法である。サブキャリアは、二位相偏移変調（ＢＰＳＫ）または直交振幅変調（ＱＡＭ）などの従来の変調方式を使用して変調され、既定されたシンボルレートによってマルチプル並列データストリームは伝送可能になる。
【０００５】
これらのさまざまな技術に対する詳細な実装形態は全て、大部分が、チャネル限定または制限、および所望の動作特徴が強まっていることで、大幅に異なっている。例えば、８０２．１１ａのＷｉ−Ｆｉは、短い３．２マイクロ秒（μｓ）シンボル（サイクリックプレフィックスに対して０．４または０．８μｓ）、および、Ｗｉ−Ｆｉ  ＡＰが典型的には対処する短距離屋内チャネルで体感される低分散に耐えることが可能である高速データチャネルをもたらすために３１２．５ｋＨｚの間隔の５２キャリアを用いているが、ＬＴＥは典型的には、長距離屋外セルラーチャネルに典型的である重大なシンボル間干渉問題に対処するために１５ｋＨｚ間隔のサブキャリアによるより長い６６．７μｓシンボル（またはサイクリックプレフィックスによる７１．４μｓ）を用いる。
【０００６】
実装形態は、シンボル時間およびサブキャリア間隔によってだけでなく、いくつかを挙げると、サブキャリアの数、チャネル間隔、高速フーリエ変換（ＦＦＴ）サイズ、パイロットトーンの数および動作、畳み込み符号利用、順方向誤り訂正（ＦＥＣ）設計、サブキャリア変調方式、時間インターリーブ、イコライザ動作、および多入力多出力（ＭＩＭＯ）動作を含む多くの他の物理層パラメータによっても異なっている。さらに、ＯＦＤＭベース物理媒体が上位層アプリケーションによってどのように使用されるかを媒体アクセス制御（ＭＡＣ）層が規定することによって、ＯＦＤＭ設計は本質的に複雑であり、特定のＯＦＤＭ技術に特有である。その結果、他のＯＦＤＭベース技術による相互作用する機能の実装は、非常に困難であることが証明されている。
【０００７】
それにもかかわらず、米国の連邦通信委員会（ＦＣＣ）によって管理されるＵｎｌｉｃｅｎｓｅｄ  Ｎａｔｉｏｎａｌ  Ｉｎｆｏｒｍａｔｉｏｎ  Ｉｎｔｅｒｃｈａｎｇｅ（Ｕ−ＮＩＩ）帯域などのアンライセンススペクトルにおけるワイヤレス技術の急増と共に、主要技術である８０２．１１（例えば、Ｗｉ−Ｆｉ）などの現在のものとこのスペクトルを適正に共有するためにＬＴＥ作業などのこれから出てくる技術を共に考え、かつ積極的なエンドユーザ体感を与えることが所望されている。５Ｇライセンス済みネットワークをもたらすための３ＧＰＰおよびいくつかでは、短く言えば、アンライセンス帯域におけるサービスを供給するためのトライアルを始めることになる。最初の例のような、Ｌｏｎｇ−Ｔｅｒｍ  Ｅｖｏｌｕｔｉｏｎ用のライセンス支援アクセス（ＬＡＡ−ＬＴＥまたはＬＡＡ）は、近年、５ＧＨｚ帯域を使用して２０１５年３月のモバイルワールドコングレスにおいてケーブル動作を実証している。製品投入は２０１６年および２０１７年に計画されている。しかしながら、アンライセンス帯域内へのＬＴＥ無線の広範囲の配設への期待が高まっていることで、これらの異なる技術の相互運用性に対する懸念は大きくなっている。
【０００８】
ＦＣＣが最初に、１９９７年にＵ−ＮＩＩ動作のための５ＧＨｚ帯域のスペクトルを利用可能にしたため、媒体アクセスに対するエチケットプロトコルは、次の３つの規則に一般化可能であるＷｉ−Ｆｉシステムに対して開発された。
１．Ｌｉｓｔｅｎ  Ｂｅｆｏｒｅ  Ｔａｌｋ（ＬＢＴ）−ある閾値を上回る無線周波数（ＲＦ）エネルギーが検出される場合はチャネルを使用しない。
２．キャリア検知−Ｗｉ−Ｆｉキャリア（パイロットトーン）が検出される場合はチャネルを使用しない。
３．ＮＡＶ  Ｔｉｍｅｒ−ネットワーク割り当てベクトル（ＮＡＶ）タイマがゼロまで計数される間はチャネルを使用しない。
【０００９】
Ｗｉ−Ｆｉシステムにおいて、クリアチャネル評価（ＣＣＡ）機能はこれらの簡易なエチケット規則を用いて、多くのＷｉ−Ｆｉデバイスが同じアンライセンスチャネルを適正に共有でき、かつ、干渉側および非干渉側両方へ有害な影響を与える場合がある送信衝突を回避できるように徹底する。
【００１０】
ＬＴＥ、および間もなくもたらされる５Ｇなどの新規の３ＧＰＰベースセルラー技術をアンライセンス帯域に導入することによって、拡張されたエチケットが必要とされることになる。Ｗｉ−Ｆｉは、主要な現在の技術として、エチケットが定められている。しかしながら、Ｗｉ−Ｆｉは、３ＧＰＰシステムの複雑性および要件に対処していない。これら技術は両方共ＯＦＤＭを使用し、かつ両方共物理層における多数の共通の特徴をサポートしているが、３ＧＰＰおよびＷｉ−Ｆｉは根本的に異なっている。
【００１１】
最も根本的な相違のうちの１つは、同期である。Ｗｉ−Ｆｉは、媒体が空いている時、エチケット規則を適用し、かつパケットを送る／受信することによって非同期的に動作する。対照的に、３ＧＰＰは、同期的に動作し、かつチャネル利用を最大化するために高度スケジューリングアルゴリズムを用いるため、エチケット規則が課せられていない。その結果、３ＧＰＰは、より大きいトラヒック負荷を、効率的に、すなわち、有益な周波数チャネルリソースの使用を最大化するやり方で伝送することができる。
【００１２】
ＯＦＤＭ実装におけるこのおよび他の顕著な相違のため、３ＧＰＰベース技術は、Ｗｉ−Ｆｉがサポートするものなどといった、共有エチケットをサポートするようには現在設計されていない。
【００１３】
これまで、適正な共有を改善する可能性を有することを主張する種々の可能な解決策が提案されている。かかる提案の１つは、電力ベースのＬＢＴ検出閾値を実装することを含む。この提案では、ＬＴＥ無線は、チャネルに対するエネルギーを監視し、かつ、受信された信号強度指示（例えば、ＲＳＳＩ）がその閾値より低い場合、チャネルが空いていると見なすことになる。しかしながら、この提案は、アンライセンス帯域干渉によるセルサイズの変動性に対処していない。また、いくつかの実装形態において、閾値は、適正に大きく（−６２ｄＢｍ）、かつセルサイズを限定する。チャネル条件に左右されて、ＬＴＥ無線が閾値を上回る送信済み信号を検出するようには保証しておらず、これによって、最終的に、衝突計数が大きくなり、スループットは低くなる場合がある。
【００１４】
他の提案では、Ｗｉ−Ｆｉパイロットトーンを監視かつ検出する、および／またはＷｉ−Ｆｉパケットを使用してＬＴＥデータを転送するためにＬＴＥ無線においてＷｉ−Ｆｉ受信機を使用することが考慮されている。しかしながら、これらの提案は、かなりのハードウェアおよびソフトウェア開発を伴うことになり、かつ、現在配設されている既存のＬＴＥ無線との下位互換性を有さないことが考えられる。また、この提案は、協調設計を試そうとしかつもたらすのとは根本的に異なるトランシーバを組み合わせている。その際に、２つの別個の独立した無線トランシーバの性能および規則面を混在させることで、この解決策の設計、検証、および認証を大幅に複雑にしているが、これは、電力制御、ＡＧＣ、電力スペクトル密度、ＰＡＲ削減法、およびデジタルプレディストーションなどのＰＡ線形化手法といった主要な設計パラメータの全てが２つの別個のＰＨＹデバイス上で現在動作しているからである。
【００１５】
それ故に、上記の欠点のいくつかまたは全てに対処するために、共有スペクトルにおける共存を促進するための改善された方法およびシステムが必要とされている。
【発明の概要】
【００１６】
共有スペクトルにおけるマルチプロトコル送信のための方法およびシステムが開示される。本明細書に記載される原理によると、ワイヤレス送信機は、１つのＯＦＤＭ技術からのサブキャリアまたはシンボル情報を、別のＯＦＤＭ技術のサブキャリアを使用して生成するように構成される。このアプローチによって、１つのＯＦＤＭプロトコルに関連付けられた、サブキャリアおよびサブキャリア周波数間隔を使用してＯＦＤＭシンボルを送信するように構成されるワイヤレス送信機は、また、通常は、異なるサブキャリアおよび異なるサブキャリア周波数間隔を使用する別のＯＦＤＭプロトコルに関連付けられたＯＦＤＭシンボルを送信するように構成可能である。
【００１７】
１つの応用では、ＬＴＥ送信機は、Ｗｉ−Ｆｉ受信機によって理解可能である８０２．１１（例えば、Ｗｉ−Ｆｉ）サブキャリアまたはシンボル情報を生成するために、例えば、ある特定の期間チャネルを予約するために、進行中および／またはこれから生じるシンボル送信に関連付けられた送信時間を指示するために、または、キャリア検知指示をもたらすために、例えば、Ｗｉ−Ｆｉ受信機および他の無線技術がチャネルをビジーであると見なすようにするために、ＬＴＥサブキャリアを使用する。送信されるＷｉ−Ｆｉサブキャリアまたはシンボル情報のタイプに左右されて、他の応用が可能である。
【００１８】
説明される実施形態は、主として、ＬＴＥ送信機によるＷｉ−Ｆｉサブキャリア／シンボル情報の生成に関する。しかしながら、同じアプローチは、例えば、８０２．１５技術（例えば、ＺｉｇＢｅｅ）などの他のＯＦＤＭ技術に等しく適用可能である。一般的に、本明細書に説明される原理は、１つのＯＦＤＭ技術からのサブキャリアまたはシンボル情報を別のＯＦＤＭ技術のサブキャリアを使用して生成するために適用可能である。いくつかの実施形態では、本明細書に説明される原理は、ＯＦＤＭ送信機に利用可能なスペクトル帯域幅によって可能とされる程度まで任意の可能な信号を生成するために適用可能である。さらに、該原理は、他の非ＯＦＤＭ技術に、または非ＯＦＤＭ信号を生成するために等しく適用可能である。例えば、本明細書に説明される原理は、１つのＯＦＤＭ技術からのサブキャリアまたはシンボル情報を使用して、ＩＥＥＥ  ８０２．１１ｂ  ＣＣＫ信号を生成するために用いられてよい。本明細書内に説明される原理は、さらにまた、まだ不確定の応用のための信号生成に適用されてよく、可能な例には、高精度位置追跡の目的で室内の物体を検出しかつ特徴付けるように特化された信号を使用する、室内「レーダ」がある。
【００１９】
いくつかの実装形態では、本明細書に説明される原理は、Ｗｉ−Ｆｉシステムの詳細、および、キャリア検知機構が、Ｗｉ−Ｆｉ受信機にチャネルがビジーであると判断させるまたは指示させるために必要なキャリア機能性のセットにどのように対処して動作するかに対処する。実施形態では、チャネルが、プリアンブルタイプモード（例えば、Ｗｉ−Ｆｉプリアンブルまたはヘッダ情報のスタンドアローン送信）においてビジーであるだけでなく、規則的なＬＴＥ送信の一部と見なされ得ることで、ＬＴＥリソースブロックまたはシンボルがＷｉ−Ｆｉパイロットトーンまたはシンボル情報を表すために割り当てられるように、Ｗｉ−Ｆｉサブキャリア／シンボル情報がＬＴＥ  ＯＦＤＭサブキャリアを使用してどのように送信可能であるかが説明される。
【００２０】
他の実装形態では、本明細書に説明される原理は、３ＧＰＰ  ＬＴＥシステムが、Ｗｉ−Ｆｉシステムに対する比較的一定のキャリア検知を提示可能であるようにするＯＦＤＭ電力レベル変更を検討し、アンライセンス帯域またはチャネル上で送信されるＬＴＥデータがＷｉ−Ｆｉ送信機によって不注意に干渉されないように徹底するようにユーザトラヒックを伝送するといった論述にまで及んでいる。
【００２１】
１つの広範な態様において、基本シンボル継続時間を規定する基本サブキャリア周波数間隔を有する基本の複数のサブキャリアを使用して、ＯＦＤＭシンボルの第１のセットを送信するように構成されるワイヤレスＯＦＤＭ送信機の方法が提供される。方法は、基本の複数のサブキャリアを使用して、１つの基本シンボル継続時間中にＯＦＤＭシンボルの第２のセットを送信することを含み、この場合、ＯＦＤＭシンボルの第２のセットのそれぞれは第２のサイクリックプレフィックス（ＣＰ）を含み、かつ、基本シンボル継続時間より短い第２のシンボル継続時間を有する。
【００２２】
１つの実装形態では、方法は、基本の複数のサブキャリアを使用して、ＯＦＤＭシンボルの第１のセットを送信することをさらに含み、この場合、ＯＦＤＭシンボルの第１のセットのそれぞれは基本ＣＰを含み、かつ、基本シンボル継続時間を有する。別の実装形態では、方法は、基本の複数のサブキャリアを使用して、１つの基本シンボル継続時間中にＯＦＤＭシンボルの第３のセットを送信することをさらに含み、この場合、ＯＦＤＭシンボルの第３セットのそれぞれは第３のＣＰを含み、かつ、基本シンボル継続時間より短い第３のシンボル継続時間を有する。
【００２３】
さらに別の実装形態では、ＯＦＤＭシンボルの第１のセットは、第１のＯＦＤＭ通信プロトコルに関連付けられたデータを含み、ＯＦＤＭシンボルの第２のセットは、第１のＯＦＤＭ通信プロトコルと異なる第２のＯＦＤＭ通信プロトコルに関連付けられたデータを含む。さらに別の実装形態では、第１のＯＦＤＭ通信プロトコルはＬＴＥプロトコルを含み、第２のＯＦＤＭ通信プロトコルは８０２．１１プロトコルを含む。
【００２４】
さらに別の実装形態では、ＯＦＤＭシンボルの第２のセットを送信することは、時間領域および周波数領域のうちの１つにおける所定のＯＦＤＭ信号に基づき、この場合、所定のＯＦＤＭ信号は第２のＯＦＤＭ通信プロトコルに関連付けられたデータを包含する。さらに別の実装形態では、ＯＦＤＭシンボルの第２のセットを送信することは、基本の複数のサブキャリアに対する変調値の所定のセットに基づき、この場合、変調値の所定のセットは第２のＯＦＤＭ通信プロトコルに関連付けられたデータに対応する。
【００２５】
さらに別の実装形態では、方法は、ＯＦＤＭシンボルの第２のセットにおける送信のために、時間領域および周波数領域のうちの１つにおいてＯＦＤＭ信号を生成することをさらに含み、この場合、ＯＦＤＭ信号は基本の複数のサブキャリアと異なる第２の複数のサブキャリアを使用して生成され、第２の複数のサブキャリアは第２のシンボル継続時間を規定する第２のサブキャリア周波数間隔を有する。さらに別の実装形態では、生成されたＯＦＤＭ信号は、第２のＯＦＤＭ通信プロトコルに関連付けられ、方法は、基本の複数のサブキャリアを使用して生成されたＯＦＤＭ信号を内挿して、ＯＦＤＭ信号を生じさせてＯＦＤＭシンボルの第２のセットを形成することをさらに含む。
【００２６】
さらに別の実装形態では、ＯＦＤＭシンボルの第２のセットは第２のＯＦＤＭ通信プロトコルに関連付けられた制御データを含み、この場合、制御データは、ＯＦＤＭシンボルの第１のセットおよび第２のセットのうちの少なくとも１つに関連付けられた、送信長、送信時間、送信タイプ、およびチャネル予約時間のうちの１つを指示している。さらに別の実装形態では、制御データは、ショートトレーニングフィールド（ＳＴＦ）データ、ロングトレーニングフィールド（ＬＴＦ）データ、信号フィールド（ＳＩＧ）データのうちの１つを含む。さらに別の実装形態では、ＯＦＤＭシンボルの第２のセットは第２のＯＦＤＭ通信プロトコルに関連付けられたパケットデータを含み、この場合、パケットデータは、ＯＦＤＭシンボルの第１のセットおよび第２のセットのうちの少なくとも１つに関連付けられた、送信長、送信時間、送信タイプ、およびチャネル予約時間のうちの１つを指示している。さらに別の実装形態では、パケットデータは、ＯＦＤＭシンボルの第１のセットおよび第２のセットのうちの少なくとも１つに関連付けられた送信終了時間を指示するタイマ値を有するＣｌｅａｒ  ｔｏ  Ｓｅｎｄ（ＣＴＳ）フレームを含む。
【００２７】
さらに別の実装形態では、ＯＦＤＭシンボルの第１のセットおよび第２のセットは、連続送信および非連続送信のうちの１つとして、順に送信される。さらに別の実装形態では、ＯＦＤＭシンボルの第１のセットおよび第２のセットは、遅延によって分離される非連続送信として送信され、ＯＦＤＭシンボルの第２のセットは、ＯＦＤＭシンボルの第１のセットの送信を完了する時間を指示するデータを含む。
【００２８】
さらに別の実装形態では、ＯＦＤＭシンボルの第２のセットは、ＯＦＤＭシンボルの第１のセットに関連付けられた、ＯＦＤＭタイプ、ＯＦＤＭモード、およびＯＦＤＭパラメータのうちの１つを指示するＯＦＤＭ指示、シンボル継続時間、ＣＰ継続時間、サブキャリアの数、サブキャリア間隔、サブキャリア変調フォーマット、およびサブキャリア周波数セットを含む。
【００２９】
別の広範な態様では、基本シンボル継続時間を規定する基本サブキャリア周波数間隔を有する基本の複数のサブキャリアを使用してＯＦＤＭシンボルの第１のセットを送信するように構成されるＯＦＤＭ送信機が提供される。ＯＦＤＭ送信機は、実行される時、送信機に、上述される方法実装形態のいずれかを行わせる命令を包含する回路構成を含む。
【００３０】
さらに別の広範な態様では、基本シンボル継続時間を規定する基本サブキャリア周波数間隔を有する基本の複数のサブキャリアを使用してＯＦＤＭシンボルの第１のセットを送信するように構成されるＯＦＤＭ送信機に対する実行可能命令を記憶するように構成される非一時的なコンピュータ可読メモリが提供される。実行可能命令は、プロセッサによって実行される時、送信機に、上述される方法実装形態のいずれかを行わせる。
【００３１】
さらに別の広範な態様では、基本シンボル継続時間を規定する基本サブキャリア周波数間隔を有する基本の複数のサブキャリアを使用してＯＦＤＭシンボルの第１のセットを送信するように構成されるＯＦＤＭ送信ノードが提供される。ＯＦＤＭ送信ノードは、トランシーバ、プロセッサ、およびメモリを含み、該メモリは、基本の複数のサブキャリアを使用して、１つの基本シンボル継続時間中にＯＦＤＭシンボルの第２のセットを送信するように構成される送信モジュールを包含し、この場合、ＯＦＤＭシンボルの第２のセットのそれぞれは、第２のサイクリックプレフィックス（ＣＰ）を含み、かつ基本シンボル継続時間より短い第２のシンボル継続時間を有する。
【００３２】
１つの実装形態では、送信モジュールは、基本の複数のサブキャリアを使用してＯＦＤＭシンボルの第１のセットを送信するようにさらに構成され、この場合、ＯＦＤＭシンボルの第１のセットのそれぞれは、第１のＣＰを含み、かつ基本シンボル継続時間に等しい第１のシンボル継続時間を有する。
【００３３】
別の実装形態では、送信モジュールは、基本の複数のサブキャリアを使用して、１つの基本シンボル継続時間中にＯＦＤＭシンボルの第３のセットを送信するようにさらに構成され、この場合、ＯＦＤＭシンボルの第３のセットのそれぞれは、第３のＣＰを含み、かつ基本シンボル継続時間より短い第３のシンボル継続時間を有する。
【００３４】
さらに別の実装形態では、ＯＦＤＭシンボルの第１のセットは第１のＯＦＤＭ通信プロトコルに関連付けられたデータを含み、ＯＦＤＭシンボルの第２のセットは第１のＯＦＤＭ通信プロトコルと異なる第２のＯＦＤＭ通信プロトコルに関連付けられたデータを含む。さらに別の実装形態では、第１のＯＦＤＭ通信プロトコルはＬＴＥプロトコルであり、第２のＯＦＤＭ通信プロトコルは８０２．１１プロトコルである。
【００３５】
さらに別の実装形態では、送信モジュールは、時間領域および周波数領域のうちの１つにおける所定のＯＦＤＭ信号に基づいてＯＦＤＭシンボルの第２のセットを送信するようにさらに構成され、この場合、所定のＯＦＤＭ信号は第２のＯＦＤＭ通信プロトコルに関連付けられたデータを包含する。さらに別の実装形態では、送信モジュールは、基本の複数のサブキャリアに対する変調値の所定のセットに基づいてＯＦＤＭシンボルの第２のセットを送信するようにさらに構成され、この場合、変調値の所定のセットは第２のＯＦＤＭ通信プロトコルに関連付けられたデータに対応する。
【００３６】
さらに別の実装形態では、メモリは、ＯＦＤＭシンボルの第２のセットにおける送信のために、時間領域および周波数領域のうちの１つにおいて第２のＯＦＤＭプロトコルに関連付けられたデータを包含する第２のＯＦＤＭプロトコル信号を生成するように構成される生成モジュールをさらに含み、この場合、生成される第２のＯＦＤＭプロトコル信号は基本の複数のサブキャリアと異なる第２の複数のサブキャリアを使用し、第２の複数のサブキャリアは第２のシンボル継続時間を規定する第２のサブキャリア周波数間隔を有する。さらに別の実装形態では、メモリは、基本の複数のサブキャリアを使用して生成された第２のＯＦＤＭプロトコル信号を内挿して、第１のＯＦＤＭプロトコル信号を生じさせてＯＦＤＭシンボルの第２のセットを形成するように構成される内挿モジュールをさらに含む。さらに別の実装形態では、方法は、第１のＯＦＤＭプロトコル信号を記憶してＯＦＤＭシンボルの第２のセットを形成するように構成される信号メモリモジュールをさらに含む。さらに別の実装形態では、第１のＯＦＤＭプロトコル信号は所定のＯＦＤＭ信号である。
【００３７】
さらに別の実装形態では、メモリは、第２のＯＦＤＭ通信プロトコルに関連付けられたデータが送信される必要がある時を判断し、かつ、その判断に基づいて、ＯＦＤＭシンボルの第２のセットとして送信するために、第２のＯＦＤＭ通信プロトコルに関連付けられたデータを包含する第１のＯＦＤＭプロトコル信号を送信モジュールにルーティングするように構成されるスイッチングモジュールをさらに含む。さらに別の実装形態では、第１のＯＦＤＭプロトコル信号は、時間領域および周波数領域のうちの１つにある。第１のＯＦＤＭプロトコル信号が周波数領域にある場合のさらに別の実装形態では、スイッチングモジュールは、第１のＯＦＤＭプロトコル信号をトランシーバにおける逆高速フーリエ変換（ＩＦＦＴ）モジュールにルーティングして、トランシーバにおける無線周波数（ＲＦ）モジュールを介してＯＦＤＭシンボルの第２のセットとして送信するために第１のＯＦＤＭプロトコル信号に対して第１のＯＦＤＭプロトコルＩＦＦＴ関数を行うように構成される。第１のＯＦＤＭプロトコル信号が時間領域にある場合のさらに別の実装形態では、スイッチングモジュールは、ＯＦＤＭシンボルの第２のセットとして送信するためにトランシーバにおける無線周波数（ＲＦ）モジュールに第１のＯＦＤＭプロトコル信号をルーティングするように構成される。
【００３８】
さらに別の実装形態では、ＯＦＤＭシンボルの第２のセットは第１のＯＦＤＭ通信プロトコルに関連付けられた制御データを含み、この場合、制御データは、ＯＦＤＭシンボルの第１のセットおよび第２のセットのうちの少なくとも１つに関連付けられた、送信長、送信時間、送信タイプ、およびチャネル予約時間のうちの１つを指示している。さらに別の実装形態では、制御データは、ショートトレーニングフィールド（ＳＴＦ）データ、ロングトレーニングフィールド（ＬＴＦ）データ、信号フィールド（ＳＩＧ）データのうちの１つを含む。さらに別の実装形態では、ＯＦＤＭシンボルの第２のセットは第２のＯＦＤＭ通信プロトコルに関連付けられたパケットデータを含み、この場合、パケットデータは、ＯＦＤＭシンボルの第１のセットおよび第２のセットのうちの少なくとも１つに関連付けられた、送信長、送信時間、送信タイプ、およびチャネル予約時間のうちの１つを指示している。さらに別の実装形態では、パケットデータは、ＯＦＤＭシンボルの第１のセットおよび第２のセットのうちの少なくとも１つに関連付けられた送信終了時間を指示するタイマ値を有するＣｌｅａｒ  ｔｏ  Ｓｅｎｄ（ＣＴＳ）フレームを含む。
【００３９】
さらに別の実装形態では、ＯＦＤＭシンボルの第１のセットおよび第２のセットは、連続送信および非連続送信のうちの１つとして、順に送信される。さらに別の実装形態では、ＯＦＤＭシンボルの第１のセットおよび第２のセットは、遅延によって分離される非連続送信として送信され、ＯＦＤＭシンボルの第１のセットは、ＯＦＤＭシンボルの第１のセットの送信を完了する時間を指示するデータを含む。
【００４０】
さらに別の実装形態では、ＯＦＤＭシンボルの第２のセットは、ＯＦＤＭシンボルの第１のセットに関連付けられた、ＯＦＤＭタイプ、ＯＦＤＭモード、およびＯＦＤＭパラメータのうちの１つを指示するＯＦＤＭ指示、シンボル継続時間、ＣＰ継続時間、サブキャリアの数、サブキャリア間隔、サブキャリア変調フォーマット、およびサブキャリア周波数セットを含む。
【００４１】
有利には、本発明の原理は、既存の共存する提案において必要とされるように、別個のＷｉ−Ｆｉ送信機を必要としない。いくつかの実装形態では、Ｗｉ−Ｆｉサブキャリア／シンボル情報は、ＬＴＥ送信に対して構成されるハードウェアを使用して生成可能であるため、Ｗｉ−Ｆｉ送信が、例えば、電力スペクトル密度、および最大送信電力などのＬＴＥシステムに課される要件を確実に満たす助けとなる。他の実装形態では、干渉のないセルサイズは、少なくとも２０ｄＢごとに、例えば、−６２ｄＢｍ（空きチャネル閾値）から、６Ｍｂｐｓの二位相偏移変調（ＢＰＳＫ）を使用するＷｉ−Ｆｉシステムに対して標準と見なされる感度レベルである−８２ｄＢｍを超えるまで、増加させる。さらに他の実施形態では、セルサイズは１０倍の因子で増加させる。
【００４２】
本開示、ならびに本開示の付随する利点および特徴をさらに詳しく理解することは、同様の参照記号が同様の要素に言及する添付の図面と併せて検討される時に、以下の詳細な説明を参照することによってより容易に理解されるであろう。
【図面の簡単な説明】
【００４３】
【図１】本明細書に説明される原理に従って、アンライセンススペクトルリソースを共有するように構成される、Ｌｏｎｇ−Ｔｅｒｍ  Ｅｖｏｌｕｔｉｏｎ（ＬＴＥ）無線アクセスネットワーク（ＲＡＮ）およびワイヤレスローカルエリアネットワーク（ＷＬＡＮ）の１つの例を示す図である。
【図２Ａ】本明細書に説明される原理に従って、図１のＬＴＥ  ＲＡＮにおいて使用されるＬＴＥサブキャリアの例を示す図である。
【図２Ｂ】本明細書に説明される原理に従って、図１のＷＬＡＮにおいて使用されるＷｉ−Ｆｉサブキャリアの例を示す図である。
【図３】本明細書に説明される原理に従って、図１のＬＴＥ  ＲＡＮにおけるＬＴＥノードによって送信されるＷｉ−Ｆｉシンボルの例を示すタイミング図である。
【図４Ａ】本明細書に説明される原理に従って、アンライセンス帯域におけるチャネル予約のために図１のＬＴＥ  ＲＡＮにおけるＬＴＥノードによるＷｉ−Ｆｉ送信のタイミング図例である。
【図４Ｂ】本明細書に説明される原理に従って、アンライセンス帯域におけるチャネル予約のために図１のＬＴＥ  ＲＡＮにおけるＬＴＥノードによるＷｉ−Ｆｉ送信のタイミング図例である。
【図５】本明細書に説明される原理に従って、図４ＡのＣＴＳ−Ｔｏ―Ｓｅｌｆパケットのフォーマット例を示す図である。
【図６Ａ】本明細書に説明される原理に従って、図４Ｂに示されるＷｉ−Ｆｉヘッダ送信のフォーマット例を示す図である。
【図６Ｂ】本明細書に説明される原理に従って、図４Ｂに示されるＷｉ−Ｆｉヘッダ送信のフォーマット例を示す図である。
【図７Ａ】本明細書に説明される原理に従って、図１のＬＴＥ  ＲＡＮにおけるＬＴＥノードのブロック図例である。
【図７Ｂ】本明細書に説明される原理に従って、図１のＬＴＥ  ＲＡＮにおけるＬＴＥノードのブロック図例である。
【図８】本明細書に説明される原理に従って構成される図７ＡのＬＴＥノードにおける信号生成部および時間領域内挿部のブロック図例である。
【図９】本明細書に説明される原理に従って構成される図７ＢのＬＴＥノードにおける周波数領域内挿部のブロック図例である。
【図１０Ａ】本明細書に説明される原理に従って、図７Ａ〜図７ＢのＯＦＤＭ送信機の例示の方法のフローチャートである。
【図１０Ｂ】本明細書に説明される原理に従って、図７Ａ〜図７ＢのＯＦＤＭ送信機の例示の方法のフローチャートである。
【図１１】本明細書に説明される原理に従って、図７Ａ〜図７ＢのＯＦＤＭ送信機の別の例示の方法のフローチャートである。
【図１２Ａ】本明細書に説明される原理に従って構成されるＯＦＤＭ送信ノードの例示の実施形態のブロック図である。
【図１２Ｂ】本明細書に説明される原理に従って構成されるＯＦＤＭ受信ノードの例示の実施形態のブロック図である。
【図１３Ａ】本明細書に説明される原理に従って構成されるＯＦＤＭ送信ノードの他の例示の実施形態のブロック図である。
【図１３Ｂ】本明細書に説明される原理に従って構成されるＯＦＤＭ受信ノードの他の例示の実施形態のブロック図である。
【発明を実施するための形態】
【００４４】
本開示は、共有スペクトル、例えば、アンライセンス帯域、または通常はアンライセンスアクセスに使用される帯域におけるマルチプロトコル送信の方法およびシステムを対象とする。本明細書に説明される原理は、１つのＯＦＤＭ技術に関連付けられたサブキャリアまたはシンボル情報を別のＯＦＤＭ技術を使用して生成することに適用可能である。以下の説明では、第１のまたは基本のＯＦＤＭネットワーク（例えば、ライセンス支援アクセス（ＬＡＡ）−Ｌｏｎｇ  Ｔｅｒｍ  Ｅｖｏｌｕｔｉｏｎ（ＬＴＥ）無線アクセスネットワーク（ＲＡＮ））におけるノードが、例えば、ワイヤレス（例えば、Ｗｉ−Ｆｉ）ローカルエリアネットワーク（ＷＬＡＮ）などの１つまたは複数の第２のＯＦＤＭネットワークにおけるワイヤレスデバイスによって検出できるサブキャリアおよび／またはシンボル情報をどのように送信できるかについて記載している。しかしながら、本明細書に説明される原理が他のタイプのネットワークに等しく適用できることを、当業者は容易に理解するであろう。
【００４５】
例えば、第１のＯＦＤＭネットワークは、他の第３世代パートナーシッププロジェクト（３ＧＰＰ）ネットワーク（例えば、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）、ＬＴＥ−Ａｄｖａｎｃｅｄ（ＬＴＥ−Ａ））、ＬＴＥ−Ｕｎｌｉｃｅｎｓｅｄ（ＬＴＥ−Ｕ）、第４世代（４Ｇ）、第５世代（５Ｇ）、または３ＧＰＰ通信ネットワークインフラストラクチャの他の将来世代を含むこともできる。より一般的には、第１のＯＦＤＭネットワークは、ライセンス済みアンカー帯域（いわゆる「スタンドアローン」またはシングルキャリアアクセスネットワーク）を有しても有さなくても、異なるＯＦＤＭ技術に関連付けられたサブキャリアまたはシンボル情報を生成するように構成される任意の現在のまたは将来のワイヤレスネットワークインフラストラクチャを含んでよい。
【００４６】
同様に、主にＷＬＡＮ（例えばＷｉ−Ｆｉ）として本明細書に説明される第２のＯＦＤＭネットワークは、ワイヤレスパーソナルエリアネットワーク（ＷＰＡＮ）またはワイヤレスメトロポリタンエリアネットワーク（ＷＭＡＮ）などの他のタイプの８０２ネットワークを含むこともできる。しかしながら、第２のＯＦＤＭネットワークは、例えば、８０２．１５ネットワーク（例えば、ＺｉｇＢｅｅ）などの異なるＯＦＤＭ技術を使用するワイヤレスネットワークを含むこともできる。より一般的には、第２のワイヤレスネットワークは、第１のＯＦＤＭネットワークにおいて使用されるサブキャリア間隔と等しいまたはこれより広いサブキャリア間隔を使用する任意のＯＦＤＭネットワークを含んでよい。これは、第１のＯＦＤＭネットワークにおいて使用されるＯＦＤＭ技術の変形であるＯＦＤＭネットワークであるがより広いサブキャリア間隔を有するネットワーク（例えば、第１のＬＴＥネットワークのキャリア間隔より広いサブキャリア間隔を有する第２のＬＴＥネットワーク）を含むことが意図される。明確にするために、および本明細書に使用されるように、ＷＬＡＮまたはＷｉ−Ｆｉという用語は、第２のＯＦＤＭネットワークに対するこれらの可能性の全てを対象として含むために使用される。
【００４７】
ここで図１を参照すると、ＬＡＡ−ＬＴＥ  ＲＡＮ１０の１つの例（第１のＯＦＤＭネットワークの例）が示されている。このＬＡＡ−ＬＴＥ  ＲＡＮ１０において、アクセスノード６０は、ＷＬＡＮ２０、３０（第２のＯＦＤＭネットワークの例）において動作するワイヤレスデバイス５０、５２、５４、５６、５８によって検出可能であるサブキャリアおよび／またはシンボル情報を送信するように構成される。従来のようにＬＡＡ動作に対して、アンライセンス帯域を使用して、（セカンダリ）キャリアを動作させて、ライセンス済みスペクトル（例えば、ＬＴＥキャリア）において動作する（プライマリ）キャリアに容量を追加する。プライマリライセンスキャリアの動作は、ＬＡＡ−ＬＴＥ  ＲＡＮ１０におけるアクセスノード６０または別のノードの制御下であってよい。
【００４８】
アクセスノード６０は、ｅＮｏｄｅＢであるが、他の実装形態において、アクセスノード６０は、Ｎｏｄｅ  Ｂ（ＮＢ）、エボルブドＮｏｄｅ  Ｂ（ｅＮＢ）、基地局、基地局コントローラ（ＢＳＣ）、無線ネットワークコントローラ（ＲＮＣ）、中継器、ドナーノード制御中継器、無線基地局（ＢＴＳ）、送信ポイント、送信ノード、リモートＲＦユニット（ＲＲＵ）、リモート無線ヘッド（ＲＲＨ）、分散アンテナシステム（ＤＡＳ）におけるノード、またはメモリ管理ユニット（ＭＭＵ）などであってよい。一般的に、アクセスノード６０は、ＬＴＥ  ＲＡＮ１０においてＵＥに対する送信を制御するように構成されるが、ＬＴＥ  ＲＡＮ１０、コアネットワーク（ＣＮ）７０、または、ＲＡＮ／ＣＮインフラストラクチャの外部のネットワークにおける他のノード（例えば、ＩＰネットワークにおけるインターネットプロトコル（ＩＰ）ノード）は、その目的で構成されてよい。他の実装形態において、ワイヤレスデバイスまたはＵＥ（例えば、中継ノードＵＥ）は、異なるＯＦＤＭ技術を使用するデバイス（例えば、ＷＬＡＮ２０、３０におけるデバイス）によって検出できるサブキャリアおよび／またはシンボル情報を送信するように構成されてよい。ワイヤレスネットワークにおいてこのようなサブキャリアまたはシンボル情報を送信するように構成されるノードとの関連で本明細書に説明される機能性はまた、そのように構成されるワイヤレスデバイス（例えば、ＵＥ）に等しく適用してよいことは理解されたい。
【００４９】
図１において、アクセスノード６０は、そのカバレッジ内のワイヤレスデバイスに、１つまたは複数のコアネットワーク７０におけるネットワークサービス、この例では、モビリティ管理エンティティ７４およびパケットデータネットワーク（ＰＤＮ）ゲートウェイ（ＰＧＷ）７２を含むエボルブドパケットコア（ＥＰＣ）ネットワークへのアクセスを提供する。それぞれのワイヤレスデバイス４０、５０は、（例えば、ユーザ機器（ＵＥ）として）ＬＡＡ−ＬＴＥ  ＲＡＮ１０におけるワイヤレス通信に対して構成され、例えば、ワイヤレス端末（移動局としても知られる）、携帯電話（「セルラー」フォン）、デスクトップ、ラップトップ、ネットブック、および／またはタブレットコンピュータ、ラップトップ埋め込み機器（ＬＥＥ）、ラップトップ装着機器（ＬＭＥ）、またはＥブックリーダなどのポータブルデバイス、腕時計、デジタル音楽および／またはビデオプレーヤ、カメラ、ゲームコントローラおよび／またはデバイスを含む任意のタイプであってよいだけでなく、心臓監視用移植物、バイオチップトランスポンダ、自動車、センサ、モデム、サーモスタット、および／または一般的にモノのインターネット（ＩｏＴ）デバイスと称される他の家庭電化製品もしくは車用電化製品、マシン型通信（ＭＴＣ）デバイス（マシン間（Ｍ２Ｍ）または装置間（Ｄ２Ｄ）デバイスとしても知られる）などのコンピュータ類似デバイスであってよい。
【００５０】
図１の例において、ＬＡＡ−ＬＴＥ  ＲＡＮ１０は、そのカバレッジにおけるワイヤレスデバイスの少なくともいくつか（例えば、ワイヤレスデバイス５０）を伴う送信のためにアンライセンス帯域をＷＬＡＮ２０、３０と共有する。一般的に、ＷＬＡＮ２０、３０は、それぞれ、同じまたは異なるネットワークにおける他のデバイスと、直接的に、またはアクセスポイント（ＡＰ）を介して通信する任意の数のワイヤレスデバイスを含んでよい。図１の例では、ＷＬＡＮ２０は、ＷＬＡＮデバイス５２、５４、ＡＰ５８、およびワイヤレスデバイス５０を含むように示され、ＷＬＡＮ３０はＷＬＡＮデバイス５４および５６を含む。ＷＬＡＮ２０、３０に対する他のネットワーク構成、または、ＬＡＡ−ＬＴＥ  ＲＡＮ１０においてデバイス５０とアンライセンススペクトルリソースを共有することができる他のタイプのネットワークもしくはデバイスが可能である。
【００５１】
従来のように、ＷＬＡＮ２０におけるデバイス５０、５２、５４およびＡＰ５８、ならびにＷＬＡＮ３０におけるデバイス５４、５６（本明細書では一般的にＷＬＡＮまたはＷｉ−Ｆｉデバイスと称される）は、媒体アクセス方法および／または競合に基づく送信のいくつかの形態を使用してスペクトルの帯域を共有するように構成される。周知のように、このような競合ベースアプローチには多くの例がある。例には、Ｌｉｓｔｅｎ  Ｂｅｆｏｒｅ  Ｔａｌｋ（ＬＢＴ）、衝突検出を有するキャリアセンスマルチプルアクセス（ＣＳＭＡ）（ＣＳＭＡ−ＣＤ）、衝突回避を有するＣＳＭＡ（ＣＳＭＡ−ＣＡ）などが含まれる。競合ベース方法を使用して、ＷＬＡＮデバイス５０、５２、５４、５６、５８は、使用されるチャネルまたは帯域において別の送信が処理中であるかどうかを判断しようとする。この判断は、対象のチャネルにおける搬送波、信号、またはエネルギーの検出に基づいてよい。キャリアまたはエネルギーが対象のチャネルにおいて（別の完全にまたは部分的に重なり合うチャネルにおいて）検出される場合、ＷＬＡＮデバイス５０、５２、５４は自身の送信を開始する前に終わるように、処理中の送信を待機する。
【００５２】
図１の例では、ＬＡＡ−ＬＴＥ  ＲＡＮ１０は、ＷＬＡＮ２０、３０のカバレッジ外の位置にワイヤレスデバイス４０を含むことができ、このデバイス４０とはスペクトルリソースは共有されない。その結果、本明細書における実施形態に説明されるワイヤレスデバイス４０、５０は、複数の異なるワイヤレスネットワーク上での動作のために構成されてよい（がその必要はない）。図１の例では、ワイヤレスデバイス５０は、デュアルモードデバイスとして構成（すなわち、ＬＡＡ−ＬＴＥ  ＲＡＮ１０における動作にはＵＥとして、およびＷＬＡＮ２０、３０における動作にはＷＬＡＮデバイスとして構成）され、ワイヤレスデバイス４０は、ＬＡＡ−ＬＴＥ  ＲＡＮ１０における動作に対してＵＥとして構成されるのみである。明確にするために、本開示の原理は、ＬＡＡ−ＬＴＥ  ＲＡＮ１０におけるワイヤレスデバイス４０、５０がシングルモードデバイスまたはマルチモードデバイスとして構成されているかどうかにかかわらず適用される。
【００５３】
図１のＬＡＡ−ＬＴＥ  ＲＡＮ１０などの３ＧＰＰシステムは、典型的には、通例、数キロメートルまでの範囲を対象として含むように設計される高出力マクロセル基地局から、屋外で動作する。結果として生じる、チャネルのコヒーレンス帯域幅は、拡散した遅延（すなわち、チャネルのインパルス応答）が、建物からの遠隔の反射および他の環境因子によって極めて大きい可能性があるため、非常に小さい。この問題に対処するために、３ＧＰＰシステムは、利用可能な帯域幅を多くのより狭いサブキャリアまたはサブチャネルに分け、かつ、並列ストリームでデータを送信する。図２Ａは、図１のＬＴＥ  ＲＡＮ１０のチャネルにおいて使用されるＬＴＥサブチャネル（サブセットのみが示される）のセットの時間周波数図８０を示す。ＬＴＥサブチャネルは、１５ｋＨｚの幅があり、ＬＴＥサブキャリアＬ−ＳＣ１−Ｍのセット、典型的には、２０ＭＨｚチャネルに対して１２００（Ｍ＝１２００）に対応する。その例では、それぞれのＬＴＥサブキャリアＬ−ＳＣ１−Ｍは、ＱＡＭ変調の変動するレベル、例えば、ＱＰＳＫ、ＱＡＭ、６４ＱＡＭ、または、場合によって、信号品質に左右されて高次を使用して変調される。従って、それぞれのＯＦＤＭシンボル８２は、チャネルにおけるサブキャリアＬ−ＳＣ１−Ｍのそれぞれに対する瞬時信号の線形結合である。データは直列ではなく並列で送信されるため、ＬＴＥシンボル８２は、一般的に、等価のデータレートのシングルキャリアシステム上のシンボルよりはるかに長くなる。図２Ａの例では、それぞれのＬＴＥシンボル８２は、長さが６６．７マイクロ秒（μｓ）であり、シンボル間干渉（ＩＳＩ）を低減するために使用される４．７μｓサイクリックプレフィックス（ＣＰ）（図示せず）が先行する。（ＣＰを含む）全シンボル長は７１．４μｓである。
【００５４】
対照的に、Ｗｉ−Ｆｉシステムは、通例、５０メートルまたは１００メートルまでの範囲を対象として含むように設計される低出力ＡＰから、（大部分は）屋内で動作する。結果として生じる、チャネルのコヒーレンス帯域幅は、拡散した遅延（例えば、チャネルのインパルス応答）が、通例非常に短い、典型的には５００ナノ秒（ｎｓ）より小さいため、大きい。その結果、Ｗｉ−Ｆｉシステムはより広い３１２．５ｋＨｚのサブチャネルを使用する。図２Ｂは、図１のＷＬＡＮ２０、３０のチャネルにおいて使用されるＷｉ−Ｆｉサブチャネル（サブセットのみが示される）のセットの時間周波数図９０を示す。Ｗｉ−Ｆｉサブチャネルは、Ｗｉ−ＦｉサブキャリアＷ−ＳＣ１−Ｎのセット、典型的には、２０ＭＨｚチャネルにおいて５２（Ｎ＝５２）に対応し、これは、３１２．５ｋＨｚの間隔があけられている。サブチャネル間隔が広いため、Ｗｉ−Ｆｉシンボル８４は、一般的に、ＬＴＥシンボル８２よりはるかに短い。図２Ａの例では、それぞれのＷｉ−Ｆｉシンボル８２は長さが３．２μｓであり、全期間４μｓに対して０．８μｓサイクリックプレフィックス（ＣＰ）（図示せず）が先行する。
【００５５】
例えば、キャリアの数、キャリア間隔、およびシンボル期間の相違を理解すると、１つの基本のＯＦＤＭシステム（ＯＦＤＭ１と示される）を、その規定された（基本の）サブキャリアのセットを使用して情報を送信するように構成され、また別のＯＦＤＭシステム（ＯＦＤＭ２と示される）のサブキャリアまたはシンボル情報を符号化するように構成されることで、かかる情報が他のシステムに従って構成される受信機によって復号できるようにすることが可能である。いくつかの実装形態では、ＯＦＤＭ１システムの、サブキャリア間隔Δｆ１、シンボル継続時間Ｔ１＝ｋ１／Δｆ１、および、システム帯域幅ＢＷ１、ならびに、ＯＦＤＭ２システムのそれら（Δｆ２、Ｔ２＝ｋ２／Δｆ２、およびＢＷ２）は次のようになる。
Δｆ１＜Δｆ２  （１）
Ｔ１＞Ｔ２  （２）
ＢＷ１＝（Ｍ＊Δｆ１）≧ＢＷ２＝（Ｎ＊Δｆ２）  （３）
式中、ｋ１およびｋ２は、典型的には１に設定される整数値であり、ＭはＯＦＤＭ１サブキャリアの数であり、ＮはＯＦＤＭ２サブキャリアの数である。
【００５６】
他の実装形態では、ＯＦＤＭ１送信機は、ＯＦＤＭ１サブキャリア間隔より広い（または、例えば、１０または２０の因子で実質的に広い）サブキャリア間隔を使用する任意のＯＦＤＭ２システムのサブキャリアおよび／またはシンボル情報を生成しかつ送信するように構成される。別のやり方を述べると、ＯＦＤＭ１送信機は、ＯＦＤＭ１シンボル継続時間より短い（または、例えば１０または２０倍で、実質的に短い）シンボル継続時間を使用する任意のＯＦＤＭ２システムのサブキャリアおよび／またはシンボル情報を生成しかつ送信するように構成される。さらに別の実装形態では、ＯＦＤＭ１送信機は、ＬＴＥシステム帯域幅より小さいまたはこれに等しいシステム帯域幅を有する任意のＯＦＤＭ２システムのサブキャリアおよび／またはシンボル情報を生成しかつ送信するように構成される。例えば、典型的なＬＴＥシステムおよびＷｉ−Ｆｉシステムにおいて、ＬＴＥサブキャリア間隔はＷｉ−Ｆｉサブキャリア間隔より短く（これはＷｉ−Ｆｉシンボル継続時間がＬＴＥシンボル継続時間より短いことを意味する）、Ｗｉ−Ｆｉシステム帯域幅はＬＴＥシステム帯域幅より小さい。そのように、ＬＴＥ送信機が、Ｗｉ−Ｆｉ受信機によって回復可能であるＷｉ−ＦｉシンボルのセットとしてＷｉ−Ｆｉ情報を符号化しかつ送信できるようにする。いくつかの実装形態では、Ｗｉ−ＦｉシンボルおよびＬＴＥシンボルを生成しかつ送信するように構成されるのに加えて、ＬＴＥ送信機はまた、別のＯＦＤＭ技術のサブキャリアおよび／またはシンボル情報を生成するように構成されてよい。
【００５７】
他の実装形態では、ＬＴＥ送信機（例えば、図１のアクセスノード６０）は、例えば、ある特定の期間チャネルを予約すること、進行中および／またはこれから生じるシンボル送信に関連付けられた送信時間を指示すること、または、例えば、Ｗｉ−Ｆｉ受信機および他の無線技術がチャネルをビジーであると見なすようにするキャリア検知指示を作成することを、Ｗｉ−Ｆｉ受信機が理解できる８０２．１１（例えば、Ｗｉ−Ｆｉ）サブキャリアまたはシンボル情報を生成するためにＬＴＥサブキャリアＬ−ＳＣ１−Ｍを使用できる。後述される実施形態は、主に、ＬＴＥ送信機におけるＷｉ−Ｆｉサブキャリア／シンボル情報の生成に関連している。しかしながら、例えば、８０２．１５技術（例えば、ＺｉｇＢｅｅ）などの他のＯＦＤＭ技術に同じアプローチが等しく適用可能であることは理解されたい。一般的に、本明細書に説明される原理は、１つのＯＦＤＭ技術からのサブキャリアまたはシンボル情報を別のＯＦＤＭ技術を使用して生成することに適用可能である。
【００５８】
図３は、本明細書に説明される原理に従って、ＬＴＥ送信ノード（例えば、図１のＬＴＥ  ＲＡＮ１０におけるアクセスノード６０）によるシンボル送信の例を示すタイミング図１００を示す。この例では、アクセスノード６０は、Ｗｉ−Ｆｉ情報、例えば、ＷＬＡＮ２０、３０におけるデバイスと共有される（アンライセンス）チャネルの該ノードの現在の使用を指示するための、および／またはある特定の時間でチャネルを予約する（さらに後述される）ための、Ｗｉ−Ｆｉヘッダおよび／またはパケットデータを送信するように構成される。Ｗｉ−Ｆｉ情報は、１つまたは複数のＷｉ−Ｆｉシンボル１１０、１１２、１１４（３つのみが示される）のセットの形態でアクセスノード６０によって変調され、かつ１つのＬＴＥシンボル１０２の期間（例えば、６６．７μｓ）に送信される。ＷＬＡＮ２０、３０におけるデバイスによって正しく復号されるように、それぞれのＷｉ−Ｆｉシンボル１１０、１１２、１１４は各ＣＰ１１０ａ、１１２ａ、１１４ａ（例えば、０．８μｓ）を含み、かつ、ＷＬＡＮ２０、３０におけるデバイスによって予想される期間に準拠するシンボル継続時間（例えば、３．２μｓ）を有する。図３の例では、Ｗｉ−Ｆｉシンボル１１０、１１２、１１４の数は、（例えば、ＬＴＥシンボルプリアンブルまたはＣＰ１０２ａの後に）１つのＬＴＥシンボル継続時間１０２に適合するように設計されるが、他の実装形態では、Ｗｉ−Ｆｉシンボル１１０、１１２、１１４の数は、実質的に、１つのＬＴＥシンボル継続時間１０２より少ない。さらに他の実装形態では、アクセスノード６０は、６６．７μｓのＬＴＥシンボル期間においてＷｉ−Ｆｉシンボル１１０、１１２、１１４を１６まで使用する。さらに他の実装形態では、アクセスノード６０は、Ｗｉ−Ｆｉヘッダデータに対してＷｉ−Ｆｉシンボル１１０、１１２、１１４のいくつかを使用し、残りはＷｉ−Ｆｉパケットまたはフレームデータに使用し、このサイズは使用されるＷｉ−Ｆｉ変調レートに左右される。さらに他の実装形態では、Ｗｉ−Ｆｉシンボル１１０、１１２、１１４は、複数のＬＴＥシンボル継続時間にわたるように複数のセットにおいて組織化され、この場合、それぞれのセットは１つのＬＴＥシンボルの期間において適合するように構成される。さらに他の実装形態では、第１のＷｉ−Ｆｉシンボルセットは、ＬＴＥ  ＣＰ（例えば、ＣＰ１０２ａ）が先行するが、後続のＷｉ−Ｆｉシンボルセットは、Ｗｉ−Ｆｉ受信機による正しい回復を徹底するためにＬＴＥ  ＣＰなしで送信される。
【００５９】
図３の例では、Ｗｉ−Ｆｉ送信後、従来のＬＴＥシンボル１０４（１つのみ示される）が送信され、これは、従来のＬＴＥ受信機（例えば、ＵＥ４０、５０）によって復号かつ受信可能である。いくつかの実装形態では、Ｗｉ−Ｆｉシンボル１１０、１１２、１１４に包含され、かつＷＬＡＮ２０、３０におけるデバイスを対象としたＷｉ−Ｆｉ情報は、Ｗｉ−Ｆｉシンボル１１０、１１２、１１４、ＬＴＥシンボル１０４、またはこの両方の組み合わせを送信することに関連付けられた、送信時間、長さ、タイプ、および／またはこの送信に必要なチャネル予約時間を指示する。有利には、このアプローチによって、アクセスノード６０はＷｉ−Ｆｉヘッダまたはさらには１つまたは複数の完全なＷｉ−Ｆｉパケットを生成できる。
【００６０】
いくつかの実装形態では、アクセスノード６０は、Ｗｉ−Ｆｉヘッダまたは「ＣＴＳ−ｔｏ−Ｓｅｌｆ」パケットなどのＣｌｅａｒ  Ｔｏ  Ｓｅｎｄ（ＣＴＳ）パケットを包含するようにＷｉ−Ｆｉシンボル１１０、１１２、１１４を生成して、−８２ｄＢｍまたはそれより下までのこのヘッダ／パケット情報を受信し、かつ、ＬＴＥ送信（例えば、ＬＴＥシンボル１０４）が送られるのが終わるまで送信を控える。さらに、いくつかの実装形態では、Ｗｉ−Ｆｉシンボル１１０、１１２、１１４およびＬＴＥ送信１０４の両方を生成しかつ送信することによって、アクセスノード６０は、その後の、Ｗｉ−Ｆｉシンボル１１０、１１２、１１４およびＬＴＥ送信１０４の両方の生成および送信のために、フィルタリング、ＰＡＲ、デジタルプレディストーション、ＰＳＤ管理、ＲＭＳ電力制御などの同じ（ＬＴＥ）処理機能を適用できる。
【００６１】
異なるＷｉ−Ｆｉヘッダおよび／またはパケットデータが異なるアプリケーションに使用されてよいことに留意することは重要である。例えば、１つの実装形態では、アクセスノード６０は、Ｗｉ−Ｆｉシンボル１１０、１１２、１１４を使用して、ＰＲＯＢＥ  ＲＥＱＵＥＳＴパケットを送って、すぐ近くのＷｉ−Ｆｉ  ＡＰを検出することができる。別の実装形態では、アクセスノード６０は、Ｗｉ−Ｆｉシンボル１１０、１１２、１１４を使用して、分離または非認証パケットを、これらをＬＴＥ  ＲＡＮ１０に移動させようとして、Ｗｉ−Ｆｉ局（クライアント）に送る。本明細書に説明される原理を使用して、アクセスノード６０は、例えば、ＮＵＬＬパケット、Ｗｉ−Ｆｉサウンディングパケット、ＬＷＡパケット、Ｐｏｉｎｔ  Ｃｏｏｒｄｉｎａｔｉｏｎ  Ｆｕｎｃｔｉｏｎ（ＰＣＦ）ビーコンなどを含む他のタイプのＷｉ−Ｆｉパケットまたはフレームを送ることができる。
【００６２】
図４Ａ〜図４Ｂは、アクセスノード６０が、（送信時間間隔（ＴＴＩ）１２６ａ〜ｄ、１３８ａ〜ｄとして示される）後続のＬＴＥシンボル送信のためのチャネルを予約するために使用できる、２つの異なるＷｉ−Ｆｉ送信１２４、１３４のタイミング図例を示す。これらのＷｉ−Ｆｉ送信１２４、１３４のそれぞれは、１つのＬＴＥシンボル内に適合する期間を有するが、上記のように、Ｗｉ−Ｆｉ送信１２４、１３４は他の実装形態では複数のＬＴＥシンボルにわたってよい。図４Ａの例では、Ｗｉ−Ｆｉ  ＣＴＳ−ｔｏ−Ｓｅｌｆパケット１２４は、ＬＴＥ  ＴＴＩ１２６ａ〜ｄ（４つのみ示される）のセットを送信するためのチャネルを予約するために使用されるが、図４Ｂの例では、Ｗｉ−Ｆｉヘッダ１３４はＴＴＩ１３８ａ〜ｄに使用される。
【００６３】
本開示の原理に従って、ＣＴＳ−ｔｏ−Ｓｅｌｆパケット１２４およびヘッダ１３４のそれぞれは、アクセスノード６０がチャネルを使用しようとする間の時間を指示するチャネル予約指示を包含する。いくつかの実装形態では、予約指示は、聴取デバイス（例えば、指示を受信しかつ復調しているＷＬＡＮ２０、３０におけるデバイス）が、予約時間が期限切れになるまでいずれの送信も行わないようにする。
【００６４】
より詳細に後述されるように、チャネル予約指示には多くの可能性がある。図４Ａの例では、チャネル予約指示は、ＣＴＳ−Ｔｏ−Ｓｅｌｆパケット１２４におけるネットワーク割り当てベクトル（ＮＡＶ）指示である。いくつかの実装形態では、ＮＡＶ指示は、チャネルがどのくらいの長さで予約されることになるのかを規定するＮＡＶタイマ値である。いくつかの実装形態では、ＮＡＶタイマ値は、ＣＴＳパケット、ＬＴＥ  ＴＴＩ１２６ａ〜ｄ（例えば、ＮＡＶ予約時間１２８）、および／またはこれらの組み合わせを送信する必要がある時間を指示している。他の実装形態では、ＮＡＶタイマ値はＬＴＥ  ＴＴＩ１２６ａ〜ｄ送信の終了時間である。ＣＴＳパケットを受信しかつ復調するデバイスは、ＮＡＶタイマ値に設定されたタイマが期限切れになるまで送信を控えるようにする。さらに他の実装形態では、チャネル予約指示は、ＣＴＳ−ｔｏ−Ｓｅｌｆパケット１２４の異なるフィールドに含まれる。一般的に、任意のパケットデータ、またはＷｉ−Ｆｉパケットの任意のフィールドは、チャネル予約指示のために使用されてよい。他の実装形態では、チャネル予約指示は、ＣＴＳ−ｔｏ−Ｓｅｌｆパケット１２４に関連付けられた、送信の長さ、時間、もしくはタイプ、またはチャネル予約時間のうちのいずれか１つ、ＬＴＥシンボル、および／またはその両方を指示する値である。チャネル予約指示の他の可能性が存在する。
【００６５】
図４Ｂの例では、チャネル予約指示は、ＬＴＥ  ＴＴＩ１３８ａ〜ｄに関連付けられたオクテット計数を表すＷｉ−Ｆｉヘッダ１３４における予約長指示または他の制御データである。他の実装形態では、予約長指示（または制御データ）はＷｉ−Ｆｉヘッダ１３４、ＬＴＥ  ＴＴＩ１３８ａ〜ｄ（例えば、予約時間長１４０）、および／またはこれらの組み合わせを送信するのに必要とされる期間である。さらに他の実装形態では、予約長指示は、ＬＴＥ  ＴＴＩ１３８ａ〜ｄ送信の終了時間である。さらに他の実装形態では、Ｗｉ−Ｆｉヘッダ１３４およびＬＴＥ  ＴＴＩ１３８ａ〜ｄは結合パケット送信１３０として考察される場合があり、この場合、ＬＴＥ  ＴＴＩ１３８ａ〜ｄ（および場合によっては他の情報）は、予約長指示に対応する長さでパケットデータペイロードを形成する。それらの実装形態では、Ｗｉ−Ｆｉ受信機（例えば、ＷＬＡＮ２０、３０におけるデバイス）は、Ｗｉ−Ｆｉヘッダ１３４を回復させ、かつ、パケットデータペイロード（例えば、ＬＴＥ  ＴＴＩ１３８ａ〜ｄ）が完全に送信されるまでチャネルを使用することを控え、ＬＴＥ受信機（例えば、アクセスノード６０）は、ＬＴＥ  ＴＴＩ１３８ａ〜ｄのみを受信かつ復調するように構成される（Ｗｉ−Ｆｉヘッダは回復不可能である場合がある）。
【００６６】
使用されるチャネル予約指示の性質に左右されて、Ｗｉ−Ｆｉ送信およびＬＴＥ送信は、連続送信または非連続送信のどちらかである。例えば、アクセスノード６０は、いくつかの実装形態では、Ｗｉ−Ｆｉ送信完了直後のＬＴＥ送信を指示する、あるいは、（図４Ａにあるように）ある特定の遅延後、待機する。図４Ｂに示される例などの他の実装形態では、アクセスノード６０は、その遅延中にノイズ（またはあるＲＦ電力）を送信して、送信電力エンベロープを維持し、かつ、Ｗｉ−Ｆｉデバイスが、チャネルが空いていると想定しないようにする。
【００６７】
いくつかの実装形態では、アクセスノード６０は、チャネル予約指示によって指示される期間または終了時間を越えてチャネルを使用し続けることができる。例えば、アクセスノード６０は、ＴＴＩ１２６ａ〜ｄまたはＴＴＩ１３８ａ〜ｄの後に追加の送信を行うように構成されてもよい。追加の送信は、ＬＴＥ  ＴＴＩの追加のセットまたはその他の送信（例えば、Ｗｉ−Ｆｉ送信）であってよく、先のＴＴＩ１２６ａ〜ｄ、１３８ａ〜ｄが連続して、Ｗｉ−Ｆｉデバイスが、追加の送信中に送信しないようにする。それらの実装形態では、チャネル予約指示は、追加の送信ではなく、ＬＴＥ  ＴＴＩ１２６ａ〜ｄ、１３８ａ〜ｄに対してチャネルがどのくらいの長さで予約されるのかを指示する。
【００６８】
いくつかの実装形態では、アクセスノード６０は、競合ベース方法、例えば、Ｌｉｓｔｅｎ  Ｂｅｆｏｒｅ  Ｔａｌｋ（ＬＢＴ）１２２、１３２を使用してチャネル可用性チェックを行って、使用されるチャネルまたは帯域において別の送信が処理中であるかどうかを判断する。この判断は、（例えば、−６２ｄＢｍ閾値で）対象のチャネルまたは帯域における搬送波、信号、またはエネルギーの検出に基づいてよい。その時間に、キャリアまたはエネルギーが対象の帯域またはチャネルにおいて（別の完全にまたは部分的に重なり合うチャネルまたは帯域において）検出される場合、アクセスノード６０は、自身の送信を開始する前に終わるように、処理中の送信を待機する。代替的には、キャリアまたはエネルギーが検出されない場合、アクセスノード６０は、ＣＴＳ−ｔｏ−Ｓｅｌｆパケット１２４またはヘッダ情報１３４のどちらかを（すぐに）送信し、かつ、後続のＬＴＥ送信（ＴＴＩ１２６ａ〜ｄまたは１３８ａ〜ｄ）を完了する。
【００６９】
図５は、本明細書に説明される原理に従って、図４Ａに示されるＣＴＳ−Ｔｏ―Ｓｅｌｆパケット１２４を含む物理層収束プロトコル（ＰＬＣＰ）プロトコルデータユニット（ＰＰＤＵ）１５０の例を示す。この例では、１７０と示されるＣＴＳ−ｔｏ−Ｓｅｌｆパケットは、プリアンブル１５２およびヘッダ１５４（本明細書ではヘッダと総称される）ならびに末尾フィールドおよびパディングフィールド１５８、１６０も含む、ＰＰＤＵ１５０のＰＬＣＰサービスデータユニットフィールド１５６に含まれる。ＣＴＳフレーム１７０は、フレームのタイプ１７０（この場合ＣＴＳ−Ｔｏ−Ｓｅｌｆフレーム）を指定するフレーム制御フィールド１７２、ＮＡＶタイマ値を指定するための期間フィールド１７４、ＣＴＳ−Ｔｏ−Ｓｅｌｆパケットのために送信機アドレスに設定される受信機アドレス（ＲＡ）フィールド１７６、およびＣＴＳパケット１７０に対して誤り訂正符号を指定するフレームチェックシーケンス（ＦＣＳ）フィールド１７８を含む。いくつかの実装形態では、それぞれの期間が４μｓの１１のＷｉ−Ｆｉシンボルは、７１．４または８０μｓのＬＴＥシンボルに適合する、４４μｓの全送信長で（ＰＰＤＵ１５０に含まれるような）ＣＴＳ−Ｔｏ−Ｓｅｌｆパケット１７０を送信する必要がある。
【００７０】
図６Ａは、本明細書に説明される原理に従って、図４Ｂに示されるＷｉ−Ｆｉヘッダ１３４のフォーマット例を示す。この例では、Ｗｉ−Ｆｉヘッダ１３４は、プリアンブル２０２を含むＰＬＣＰヘッダ２０８であり、信号フィールド（ＳＩＧ）２０４（本明細書ではヘッダデータと総称される）はある特定の期間チャネルを予約するように（ＳＩＧ２０４において）チャネル予約指示を包含する。チャネル予約指示は、データフィールド２０６において続くようにデータ量を指示するオクテット計数として長さフィールド２１４において設定される。レートフィールド２１０において指定されるデータの変調レートと共に、長さフィールド２１４におけるチャネル予約指示は、（例えば、５ミリ秒まで）データに対して、送信に必要な時間または送信終了時間を指示している。データフィールド２０６およびＰＬＣＰヘッダ２０８に包含されるデータは、結合送信２００として示され、この場合、データフィールド長はＳＩＧ２０４に包含されるチャネル予約指示に対応する。しかしながら、ＰＬＣＰヘッダ２０８およびデータフィールド２０６は、２つの別個の送信（例えば、非連続送信）として送られてよい。いくつかの実装形態では、データはＬＴＥシンボル（例えば、図４ＢにおけるＬＴＥ  ＴＴＩ１３８ａ〜ｄ）を含むが、他の例では、データはＷｉ−Ｆｉシンボルおよび／またはランダム送信（例えば、ノイズ１３６）などの追加のまたは他の情報を含んでよい。データフィールド２０６におけるデータに対する他の可能性が存在する。上記のように、データフィールド２０６におけるデータの後に、ＬＴＥ  ＴＴＩの追加のセットまたはその他の送信（例えば、Ｗｉ−Ｆｉ送信）などの追加の送信が行われてよい。
【００７１】
長さフィールド２１４に加えて、ＳＩＧ２０４は、データフィールド２０６においてデータの変調レートを指定するレートフィールド２１０、予約フィールド２１２、パリティフィールド２１６、末尾フィールド２１８、およびサービスフィールド２２０も含む。いくつかの実装形態では、末尾フィールド２１８は、データフィールド２０６におけるデータに関連付けられたシンボルまたはＯＦＤＭのタイプ（例えば、この場合、ＬＴＥタイプ）を指示する値に設定される。他の実装形態では、末尾フィールド２１８は、ＬＴＥシンボルがデータフィールド２０６に存在する時は第１の値が、非ＬＴＥシンボル（例えば、Ｗｉ−Ｆｉシンボル）が含まれる時は異なる値が設定される。有利には、いくつかの実装形態では、末尾フィールド２１８を、データフィールド２０６におけるＬＴＥシンボルの存在を指示する値に設定することによって、聴取デバイス（ＰＬＣＰヘッダ２０８を受信しかつ復調するように構成されるデバイス）に、データフィールド２０６が異なるＯＦＤＭタイプのシンボル（例えば、ＬＴＥシンボル）を包含することを通知する。他の実装形態では、この指示はＯＦＤＭ指示であり、同じ層または異なる層において別のフィールド（末尾フィールド２１８またはＳＩＧ２０４以外）に含まれてよい。例えば、さらに他の実装形態では、ＯＦＤＭ指示は、通常は関連のプロトコルを指定するために使用されるビット（例えば、ｂ０およびｂ１）を包含するフレーム制御フィールドなどのＭＡＣ層プロトコルフィールドに含まれる。このＯＦＤＭ指示は、ＯＦＤＭタイプもしくはモード、または、シンボル継続時間、ＣＰ継続時間、サブキャリアの数、サブキャリア間隔、サブキャリア変調フォーマット、サブキャリア周波数など、データフィールド２０６におけるデータに関連付けられたＯＦＤＭパラメータを表してよい。
【００７２】
図６Ｂは、本明細書に説明される原理に従ってチャネルを予約するためにアクセスノード６０によって使用可能である、図４Ｂに示されるＷｉ−Ｆｉヘッダ１３４の他のフォーマット例を示す。レガシモードについて、送信２４０は、レガシ（Ｌ）ショートトレーニングフィールド（ＳＴＦ）２４２、レガシ（Ｌ）ロングトレーニングフィールド（ＬＴＦ）フィールド２４４、および、データフィールド２４８において送信されるデータ（例えば、ＬＴＥシンボルまたはＷｉ−Ｆｉシンボル）に対するチャネルを予約するためのチャネル予約指示を包含するレガシ（Ｌ）−ＳＩＧ２４６を含む。混在モードについて、送信２５０は、Ｌ−ＳＴＦ２５２、Ｌ−ＬＴＦ２５４、Ｌ−ＳＩＧ２５６、ハイスループット（ＨＴ）−ＳＩＧフィールド２５８、ＨＴ−ＳＴＦ２６０、ＨＴ−ＬＴＦ２６２、およびデータフィールド２６４を含む。Ｌ−ＳＩＧ２４６またはＨＴ−ＳＩＧ２５８のどちらかは、データフィールド２６４において送信されるデータに対するチャネルを予約するためのチャネル予約指示を包含するように構成される。グリーンフィールドモードについて、送信２７０は、Ｌ−ＳＴＦ２７２、ＨＴ  ＳＩＧ２７４、ＨＴ−ＳＴＦ２７６、ＨＴ−ＬＴＦ２７８、およびデータフィールド２８０を含む。ＨＴ−ＳＩＧ２７４は、データフィールド２８０において送信されるデータに対するチャネルを予約するためのチャネル予約指示を包含するように構成される。いくつかの実装形態では、データフィールド２４８、２６４、２８０におけるデータは、ＬＴＥシンボル（例えば、図４ＢにおけるＬＴＥ  ＴＴＩ１３８ａ〜ｄ）を含むが、他の例では、データは、Ｗｉ−Ｆｉシンボルおよび／またはランダム送信（例えば、ノイズ１３６）などの追加のまたは他の情報を含むことができる。データフィールド２４８、２６４、２８０におけるデータに対する他の可能性が存在する。上記のように、データフィールド２４８、２６４、２８０におけるデータの後に、ＬＴＥ  ＴＴＩの追加のセットまたはその他の送信（例えば、Ｗｉ−Ｆｉ送信）などの追加の送信が行われてもよい。
【００７３】
上で提供された例は、使用されるチャネル予約指示がＳＩＧフィールドに含まれる長さの値であることを示すが、他の可能性が存在する。一般的に、Ｗｉ−Ｆｉヘッダ１３４における任意の制御データまたはフィールドは、チャネル予約指示に使用可能である。他の実装形態では、チャネル予約指示は、Ｗｉ−Ｆｉヘッダ１３４に関連付けられた、送信の長さ、時間、もしくはタイプ、またはチャネル予約時間のいずれか１つ、データフィールドＬＴＥシンボルにおけるデータ、および／またはこの両方を指示する値である。チャネル予約指示に対する他の可能性が存在する。
【００７４】
本開示の原理によると、ＬＴＥ送信機（アクセスノード６０）が、Ｗｉ−Ｆｉヘッダを包含するＷｉ−Ｆｉシンボル、またはパケットデータを生成するための多くの異なるやり方がある。１つの例では、ＬＴＥ送信機は、ＬＴＥシンボル継続時間の一部分または全体にわたるＭのサンプルの、動的に生成された（すなわち、必要とされる時に生成された）または所定の時間領域信号もしくはベクトル（例えば、Ｃｏｍｍｏｎ  Ｐｕｂｌｉｃ  Ｒａｄｉｏ  Ｉｎｔｅｒｆａｃｅ（ＣＰＲＩ）Ｉ／Ｑベクトル）を得るように構成される。別の実装形態では、ＬＴＥ送信機は、１つのＬＴＥシンボルのＭのＬＴＥサブキャリア変調値の動的に生成されたまたは所定の周波数領域ベクトルを得るように構成される。これらのＭのサブキャリア変調値は、ＱＡＭコンスタレーション、またはサブキャリアＩ／Ｑ値であってよい。いくつかの実装形態では、Ｍのサブキャリア変調ベクトルがＬＴＥ送信機においてＭポイント逆高速フーリエ変換（ＩＦＦＴ）に適用される時、その結果として、生成されるＷｉ−Ｆｉ送信は、ＮポイントＦＦＴによってＷｉ−Ｆｉ受信機で回復可能である。Ｗｉ−Ｆｉ送信は、ＬＴＥサブキャリアコンスタレーションと整合することになるため、他のＬＴＥ受信機によって回復されてもよい。
【００７５】
Ｗｉ−Ｆｉサブキャリアまたはシンボル情報を生成するためにＬＴＥ送信機において使用可能である多くの異なる構成がある。１つの例では、ＬＴＥ送信機構成は、２つの別個のおよび独立した物理層（ＬＴＥおよびＷｉ−Ｆｉ）を含むことができ、これら層は、例えば、シンボル継続時間、サイクリックプレフィックス期間、サブキャリアの数、サブキャリア間隔、サブキャリア変調フォーマット、サブキャリア周波数、または、多数のＭＡＣ層間差のうちのいずれか１つの差異を反映する異なるＡＳＩＣコンポーネントおよび／または回路構成を有するが、共通のＡＳＩＣまたは他のハードウェア回路構成が両方のＯＦＤＭ技術をサポートするように構成可能であることは除外されない。しかしながら、他の実装形態では、両方のＯＦＤＭ技術を同じデバイスまたはコンポーネントのセットに統合すること、および、これらのコンポーネントをＬＴＥモードまたはＷｉ−Ｆｉモードのどちらかで動作させるように構成することは可能である。以下で提供される送信機構成の例は、専用の回路構成による、またはサポートされる（および種々のモードで動作可能である）ＯＦＤＭ技術全てに共通である実装形態に等しく適用する。
【００７６】
ここで、図７Ａおよび図７Ｂに移ると、ＯＦＤＭ１と示される（基本の）ＯＦＤＭ技術（例えば、３ＧＰＰまたはＬＴＥ技術）の基本ＯＦＤＭ送信機３００、３５０の２つの異なるブロック図例が示されている。送信機３００、３５０は、ＯＦＤＭ１送信のために構成されているのに加えて、ＯＦＤＭ２受信機（例えば、Ｗｉ−Ｆｉ受信機）によって復号可能であるように、ＯＦＤＭ２（例えば、Ｗｉ−Ｆｉ技術）と示される別のＯＦＤＭ技術のサブキャリアまたはシンボル情報を送信するようにも構成される。ＯＦＤＭ１送信機３００、３５０（例えば、図１のＬＴＥ  ＲＡＮ１０におけるアクセスノード６０）はそれぞれ、１つのＯＦＤＭ１シンボル継続時間中にＯＦＤＭ２シンボルのセット（すなわち、１つまたは複数）を提供しかつ送信するように構成される。いくつかの実装形態では、ＯＦＤＭ２シンボルのそれぞれは、ＯＦＤＭ２サイクリックプレフィックス（ＣＰ）を含み、かつＯＦＤＭ１シンボル継続時間より短いＯＦＤＭ２シンボル継続時間を有する。いくつかの実装形態では、ＯＦＤＭ２シンボルセットの送信後、ＯＦＤＭ１送信機３００、３５０は、基本ＯＦＤＭ１サブキャリアを使用してＯＦＤＭ１シンボルのセットを送信するように構成される。ＯＦＤＭ２およびＯＦＤＭ１シンボルセット送信は、連続的または非連続的であってよい。上述されるように、ＯＦＤＭ１送信機３００、３５０は、例えば、ある特定の期間チャネルを予約すること、ＯＦＤＭ２および／またはＯＦＤＭ１シンボルセット送信に関連付けられた送信時間を指示すること、または、例えば、ＯＦＤＭ２受信機にチャネルがビジーであると見なすようにさせるキャリア検知指示をもたらすことを含む、さまざまな目的でさまざまなタイプのＯＦＤＭ２関連情報を符号化するためにＯＦＤＭ２シンボルセットを使用してよい。いくつかの実装形態では、ＯＦＤＭ２シンボルセットはＷｉ−Ｆｉヘッダデータおよび／またはＷｉ−Ｆｉパケットデータを含み、ＯＦＤＭ１シンボルセットはＬＴＥデータ（またはＬＴＥ  ＴＴＩ）を含み、ＯＦＤＭ２シンボルセットにおけるＷｉ−Ｆｉヘッダまたはパケットデータは、Ｗｉ−Ｆｉヘッダ／パケットデータに関連付けられた、送信長、送信時間、送信タイプ、および／もしくはチャネル予約時間、ＬＴＥデータ、またはこの両方の組み合わせを指示する。
【００７７】
ＯＦＤＭ１送信機３００は、ＯＦＤＭ１送信チェーン３０２、ＯＦＤＭ１逆高速フーリエ変換（ＩＦＦＴ）ユニット３０４、およびＯＦＤＭ１  ＲＦユニット３０６（例えば、ＤＡＣ、ミキサ、およびＰＡ）を有し、これらは、組み合わせて、１つまたは複数のアンテナ３０７を介してＯＦＤＭ１送信を行うように構成される。いくつかの実装形態では、ＯＦＤＭ１送信チェーン３０２は、二位相偏移変調（ＢＰＳＫ）または直交振幅変調（ＱＡＭ）データの直列ＯＦＤＭ１シンボルストリームをＭの並列ストリームに変換する。ＯＦＤＭ１送信チェーン出力は、ＯＦＤＭ１  ＩＦＦＴユニット３０４を介してＭの基本ＯＦＤＭ１サブキャリアに対して変調され、その後、ＲＦユニット３０６およびアンテナ３０７を介して送信される。
【００７８】
本開示の原理によると、ＯＦＤＭ１送信機３００は、アンテナ３０７を介して送信するようにＯＦＤＭ２情報を伝送するＯＦＤＭ１信号を生じさせるように構成される回路構成も含む。１つの実装形態では、回路構成は、ＯＦＤＭ２信号を生成するように構成されるＯＦＤＭ２信号生成部３１２を含む。ＯＦＤＭ２信号は、例えば、ＮのＯＦＤＭ２サブキャリアによって生成される所定のまたは既定のＯＦＤＭ２シンボル情報を包含する時間領域信号である。その実装形態では、回路構成は、アンテナ３０７を介して送信するようにスイッチ３０８を介してＯＦＤＭ１  ＩＦＦＴおよびＲＦユニット３０４、３０６に送り込まれる、ＦＤＳと示される周波数領域ＯＦＤＭ１信号を生じさせるために生成されるＯＦＤＭ２信号（さらに後述される）を時間領域において内挿するＯＦＤＭ２−ＯＦＤＭ１時間領域（ＴＤ）内挿部３１４をさらに含む。
【００７９】
しかしながら、他の可能性が存在する。別の実装形態では、回路構成は、ＦＤＳ信号が記憶されるＯＦＤＭ１信号メモリ３１６を含む。ＯＦＤＭ１送信機３００は、ＯＦＤＭ２情報が送信される必要があると判断する時、信号生成部３１２およびＴＤ内挿部３１４を使用してＦＤＳを動的に（例えば、オンザフライで）生成する、または、単に、ＦＤＳ信号を信号メモリ３１６から読み取り、かつこの信号を、スイッチ３０８を介してＯＦＤＭ１  ＩＦＦＴおよびＲＦユニット３０４、３０６へとルーティングする。ＦＤＳ信号が信号メモリ３１６から読み取られる場合の実装形態では、回路構成は信号メモリ３１６だけを含んでよい。他の実装形態では、記憶されたＦＤＳ信号は、所定のまたは既定のＯＦＤＭ２情報を表す値を含む、ＯＦＤＭ１（周波数領域）サブキャリア変調値の所定のまたは既定のベクトル（例えば、Ｍの値のベクトル）である。
【００８０】
１つの例では、以下の、非ゼロＬＴＥサブキャリア変調値のベクトルは、ＬＴＥ送信機によって使用されて、２０４８のサブキャリアのグループ（−１０２４から１０２４までの連番）を使用してＳＴＦを生じさせることができる。
ＳＴＦ＿ＬＴＥ＿ＳＣｓ＝［−４９９、−４１５、−３３２、−２４９、−１６５、−８２、８５、１６８、２５２、３３５、４１８、５０２］
ＳＴＦ＿ＬＴＥ＿ＳＣ＿Ｖａｌｕｅ＝√（１３／６）＊［１＋ｉ、−１−ｉ、１＋ｉ、−１−ｉ、−１−ｉ、１＋ｉ、−１−ｉ、−１−ｉ、１＋ｉ、１＋ｉ、１＋ｉ、１＋ｉ］
【００８１】
連番によってＳＴＦ＿ＬＴＥ＿ＳＣｓアレイにおいて上で特定される１２のＬＴＥサブキャリアのそれぞれは、ＳＴＦ＿ＬＴＥ＿ＳＣ＿Ｖａｌｕｅアレイにおける対応する非ゼロ変調値に設定される。グループにおける他のＬＴＥサブキャリアの全て（ＳＴＦ＿ＬＴＥ＿ＳＣｓアレイにおいて特定されないもの）は、ゼロ値（例えば、０＋０ｉ）に設定される。
【００８２】
別の例では、２０４８のサブキャリアを使用するように構成されるＬＴＥ送信機について、以下の、ＬＴＥサブキャリア変調値のベクトルは、ＬＴＦを生じさせるために使用可能である。
ＬＴＦ＿ＬＴＥ＿ＳＣｓ＝［−５４０、−５１９、４９９、−４７８、−４５７、−４３６、−４１５、−３９４、−３７４、−３５３、−３３２、−３１１、−２９０、−２６９、−２４９、−２２８、−２０７、−１８６、−１６５、−１４４、−１２４、−１０３、−８２、−６１、−４０、−１９、２２、４３、６４、８５、１０６、１２７、１４７、１６８、１８９、２１０、２３１、２５２、２７２、２９３、３１４、３３５、３５６、３７７、３９７、４１８、４３９、４６０、４８１、５０２、５２２、５４３］
ＬＴＦ＿ＬＴＥ＿ＳＣ＿Ｖａｌｕｅ＝［１、１、−１、−１、１、１、−１、１、−１、１、１、１、１、１、１、−１、−１、１、１、−１、１、１、１、１、１、１、１、−１、−１、１、１、−１、１、−１、１、−１、−１、−１、−１、−１、１、１、−１、−１、１、−１、１、−１、１、１、１、１］
【００８３】
連番によってＬＴＦ＿ＬＴＥ＿ＳＣｓアレイにおいて上で特定される５２のＬＴＥサブキャリアのそれぞれは、ＬＴＦ＿ＬＴＥ＿ＳＣ＿Ｖａｌｕｅアレイにおける対応する非ゼロ変調値に設定され、グループにおける他のＬＴＥサブキャリアの全て（ＬＴＦ＿ＬＴＥ＿ＳＣｓアレイにおいて特定されないもの）は、ゼロ値（例えば、０＋０ｉ）に設定される。ＬＴＥサブキャリア変調値に対する他の可能性が存在する。
【００８４】
さらに別の実装形態では、ＴＤ内挿部３１４は、代わりに、ＯＦＤＭ２情報を伝送するために時間領域ＯＦＤＭ１信号ＴＤＳを使用する。その実装形態では、ＯＦＤＭ１送信機３００が、ＯＦＤＭ２情報が送信される必要があると判断する時、ＯＦＤＭ１送信機３００は、ＴＤ内挿部３１４から直接的に、または信号メモリ３１６を介して、ＴＤＳ信号をスイッチ３１０によってＯＦＤＭ１  ＲＦユニット３０６へとルーティングする。ＴＤＳ信号が信号メモリ３６６から読み取られる場合の実装形態では、回路構成は信号メモリ３６６だけを含んでよい。他の実装形態では、記憶されたＴＤＳ信号は、所定のまたは既定のＯＦＤＭ２情報を表すＯＦＤＭ１（時間領域）サンプルの所定のまたは既定のベクトル（例えば、Ｍのサンプルによる値）である。
【００８５】
いくつかの実装形態では、スイッチ３０８（または、ＴＤ内挿部３１４がＴＤＳまたはＦＤＳ信号を生じさせるかどうかによっては３１０）は、ＯＦＤＭ２情報が送信される必要がある時を判断するように、かつ、その判断に基づいて、ＯＦＤＭ２シンボルのセットとして送信するために、ＯＦＤＭ２情報を包含するＦＤＳ（またはＴＤＳ）信号をＯＦＤＭ１  ＩＦＦＴ３０４（またはＯＦＤＭ１  ＲＦ３０６）にルーティングするように、またはＯＦＤＭ１シンボルのセットとして送信するためにＯＦＤＭ１送信チェーン出力をルーティングするように構成されるスイッチングモジュールの一部である。
【００８６】
他の実装形態では、スイッチングモジュール（またはスイッチ３０８、３１０）は、ＯＦＤＭ２またはＯＦＤＭ１情報がＯＦＤＭ１  ＩＦＦＴ３０４および／またはＲＦ３０６を介して送信されるかどうかを制御する。例えば、スイッチングモジュールが、ＯＦＤＭ２情報が送信される必要がある時（例えば、Ｗｉ−ＦｉプリアンブルまたはＣＴＳパケットが後続のＬＴＥ送信のためのチャネルを予約するために送られる必要がある時）、スイッチングモジュールは、ＯＦＤＭ２シンボルのセットとして送信するためにＯＦＤＭ２情報を包含するＦＤＳ信号（またはＴＤＳ信号）をＯＦＤＭ１  ＩＦＦＴ３０４（またはＯＦＤＭ１  ＲＦ３０６）にルーティングする。逆に、スイッチングモジュールが、ＯＦＤＭ１情報が送信される（例えば、後続のＬＴＥ送信）必要があると判断する時、スイッチングモジュールはその代わりに、ＯＦＤＭ１シンボルのセットとしてＯＦＤＭ１  ＲＦ３０６を介して送信するために、ＯＦＤＭ１情報を包含するＯＦＤＭ１送信チェーン３０２の出力をＯＦＤＭ１  ＩＦＦＴ３０４にルーティングする。
【００８７】
いくつかの実装形態では、ＯＦＤＭ２情報が送信される必要があると判断する前に、使用される送信チャネルまたは帯域が空いているかどうかを判断するために（例えば、ＯＦＤＭ１送信機３００と通信する受信機によって）チャネル可能性チェックが最初に行われる。このチェックは、（例えば、−６２ｄＢｍ閾値によって）搬送波、信号、またはエネルギーが対象のチャネルまたは帯域において検出可能であるかどうかに基づいてよい。キャリアまたはエネルギーが検出されない場合、スイッチングモジュールは、ＯＦＤＭ２シンボルのセットとして送信するために、ＯＦＤＭ２情報を包含するＦＤＳ信号（またはＴＤＳ信号）をＯＦＤＭ１  ＩＦＦＴ３０４（またはＯＦＤＭ１  ＲＦ３０６）にルーティングする。いくつかの実装形態では、スイッチングモジュールは、ＯＦＤＭ２情報が送信可能であると判断できる前にチャネル可用性ユニット（図示せず）によって提供されるチャネル可用性指示に頼ってよい。
【００８８】
いくつかの実装形態では、ＯＦＤＭ１送信機３００が、チャネル可用性チェック後にチャネルをできるだけ早く占有して、ＯＦＤＭ１送信機が自身のＯＦＤＭ２送信を始める可能性がある前に、確実に、他の受信機がチャネルが空いていると見なさないようにすることが望ましい場合がある。遅延が不可避である場合（例えば、ＯＦＤＭ２情報が、ＯＦＤＭ１  ＩＦＦＴ３０４を介して、生成、内挿、記憶、および／または時間領域に変換される必要がある時）の実装形態では、ＯＦＤＭ１トランシーバ３００は、所望のＯＦＤＭ２情報が送信に対して利用可能になるまで、ＯＦＤＭ１  ＲＦユニット３０６に直接送り込まれ得る時間領域信号を送信するように構成されてよい。例えば、所望のＯＦＤＭ２情報が（例えば、ＯＦＤＭ２信号生成部３１２において生成され、かつ内挿部３１４および／または信号メモリ３１６において処理された後に）ＯＦＤＭ１  ＩＦＦＴ３０４を通過する必要がある周波数領域信号（ＦＤＳ）の形態である場合、スイッチングモジュールは、肯定的なチャネル可用性指示を受信する時、所望のＯＦＤＭ２情報が送信される準備ができるまで繰り返し可能な時間領域信号をＲＦユニット３０６に直接ルーティングするように構成されてよい。いくつかの実装形態では、繰り返し可能な時間領域信号は、繰り返しパターンまたは循環パターンを有する別のＯＦＤＭ２信号である。１つの例では、繰り返し可能なＯＦＤＭ２信号は、ＬＴＦおよび／またはＳＴＦのシーケンスである。所望のＯＦＤＭ２情報を送信する前に使用される繰り返し可能な時間領域信号に対する他の可能性が存在する。
【００８９】
図８は、本明細書に説明される原理に従って、Ｗｉ−Ｆｉ信号を生成し、かつ時間領域におけるＬＴＥ信号に内挿するために図７ＡのＯＦＤＭ２信号生成部３１２およびＯＦＤＭ２−ＯＦＤＭ１  ＴＤ内挿部３１４の構成のブロック図例を示す。この例では、Ｗｉ−Ｆｉ信号生成部４０２は、所定のまたは既定のＷｉ−Ｆｉ情報（例えば、Ｗｉ−Ｆｉヘッダまたはパケット）を伝送する周波数領域Ｗｉ−Ｆｉ信号４０４のそれぞれのシンボル継続時間でＩＦＦＴを行うように構成される６４ポイントＷｉ−Ｆｉ  ＩＦＦＴユニット４０６を含む。Ｗｉ−Ｆｉ信号生成部４０２はまた、所定のＷｉ−Ｆｉ情報を伝送するＷｉ−Ｆｉシンボルのセットをもたらすために生成されるそれぞれのＷｉ−ＦｉシンボルにＣＰを追加するように構成されるＣＰユニット４０８を含む。
【００９０】
Ｗｉ−Ｆｉシンボルセットは、時間領域ＬＴＥ信号４２０（例えば、Ｃ−ＰＲＩ  Ｉ／Ｑデータ）を生じさせるために（例えば、時間領域内挿または低域フィルタリングによって）Ｗｉ−Ｆｉシンボルセットをリサンプルするように構成されるリサンプリングユニット４１４を含むＬＴＥ時間領域内挿部４１２に送り込まれる。ＬＴＥ時間領域内挿部４１２は、いくつかの実装形態では、ＬＴＥ信号４２０を、従来のＬＴＥ  ＲＦ回路構成（例えば、図７ＡのＯＦＤＭ１  ＲＦユニット３０６）によって処理可能であるＬＴＥ  Ｉ／Ｑベクトル（例えば図７ＡのＴＤＳ信号）に変えるようにパディングするためのパディングユニット４１６を含む。他の実装形態では、ＬＴＥ時間領域内挿部４１２は、従来のＬＴＥ  ＩＦＦＴ回路構成（例えば、図７ＡのＯＦＤＭ１  ＩＦＦＴユニット３０４）によって処理可能である周波数領域における対応するＬＴＥ信号４２２（例えば、図７ＡのＦＤＳ信号）を得るためのＬＴＥ  ＦＦＴユニット４１８をさらに含むことができる。さらに他の実装形態では、ＬＴＥ  ＦＦＴユニット４１８は、Ｗｉ−ＦｉシンボルセットにおけるＷｉ−Ｆｉシンボルの全体のサイズに等しい入力サイズ、および、ＬＴＥサブキャリアの数（例えば、２０４８）に等しい出力を有する。代替的には、使用されるＬＴＥ  ＦＦＴユニット４１８は、従来のＬＴＥ受信チェーンにおいて使用されるのと同じである。他の実装形態が可能である。
【００９１】
図７Ｂに戻ると、周波数領域内挿が好ましい場合に使用可能である異なるＯＦＤＭ１送信機構成が示されている。ＯＦＤＭ１送信機３００と同様に、ＯＦＤＭ１送信機３５０はまた、ＯＦＤＭ１送信チェーン３５２、ＯＦＤＭ１  ＩＦＦＴユニット３５４、スイッチ３５８（または３６０）、ＯＦＤＭ１  ＲＦユニット３５６、アンテナ３５７、および、ＯＦＤＭ２信号生成部３６２、ＯＦＤＭ２−ＯＦＤＭ１内挿部３６４、および／またはＯＦＤＭ１信号メモリ３６６を含む回路構成を有する。しかしながら、対照的に、ＯＦＤＭ２−ＯＦＤＭ１内挿部３６４は、生成されるＯＦＤＭ２信号（以下にさらなる詳細）を周波数領域に内挿して、スイッチ３５８およびＯＦＤＭ１  ＩＦＦＴユニット３５４を介してＯＦＤＭ１  ＲＦユニット３５６によって送信可能であるＯＦＤＭ２情報を伝送する周波数領域ＯＦＤＭ１信号ＦＤＳ、または、スイッチ３６０を介してＯＦＤＭ１  ＲＦユニット３５６によって直接送信可能である時間領域ＯＦＤＭ１信号ＴＤＳのどちらかを生じさせる。
【００９２】
いくつかの実装形態では、スイッチ３５８（またはＦＤ内挿部３６４がＦＤＳまたはＴＤＳ信号を生じさせるかどうかによっては３６０）は、ＯＦＤＭ２情報が送信される必要がある時を判断するように、かつ、その判断に基づいて、ＯＦＤＭ２シンボルのセットとして送信するために、ＯＦＤＭ２情報を包含するＦＤＳ（またはＴＤＳ）信号をＯＦＤＭ１  ＩＦＦＴ３５４（またはＯＦＤＭ１  ＲＦ３６７）にルーティングするように、またはＯＦＤＭ１シンボルのセットとして送信するためにＯＦＤＭ１送信チェーン３５２出力をルーティングするように構成されるスイッチングモジュールの一部である。図７Ａに示される例と同様に、送信されるＦＤＳ（またはＴＤＳ）信号は、ＦＤ内挿部３６４の記憶された出力として、または、ＯＦＤＭ２情報を表すＯＦＤＭ１周波数領域（または時間領域）サブキャリア変調値（またはサンプル）の所定のベクトルとして、ＯＦＤＭ１信号メモリ３６６から読み取られてよい。
【００９３】
ＯＦＤＭ１送信機３００と同様に、ＯＦＤＭ１送信機３５０におけるスイッチングモジュールは、ＯＦＤＭ２またはＯＦＤＭ１情報がＯＦＤＭ１  ＩＦＦＴ３５４および／またはＲＦ３５６を介して送信されるかどうかを制御する。例えば、スイッチングモジュールが、ＯＦＤＭ２情報が送信される必要があると判断する時（例えば、Ｗｉ−ＦｉプリアンブルまたはＣＴＳパケットが後続のＬＴＥ送信のためのチャネルを予約するために送られる必要がある時）、スイッチングモジュールは、ＯＦＤＭ２シンボルのセットとして送信するためにＯＦＤＭ２情報を包含するＦＤＳ信号（またはＴＤＳ信号）をＯＦＤＭ１  ＩＦＦＴ３５４（またはＯＦＤＭ１  ＲＦ３５６）にルーティングする。逆に、スイッチングモジュールが、ＯＦＤＭ１情報が送信される（例えば、後続のＬＴＥ送信）必要があると判断する時、スイッチングモジュールは代わりに、ＯＦＤＭ１シンボルのセットとしてＯＦＤＭ１  ＲＦ３５６を介して送信するために、ＯＦＤＭ１情報を包含するＯＦＤＭ１送信チェーン３５２の出力をＯＦＤＭ１  ＩＦＦＴ３５４にルーティングする。
【００９４】
いくつかの実装形態では、ＯＦＤＭ２情報が送信される必要があると判断する前に、（例えば、−６２ｄＢｍ閾値によって）搬送波、信号、またはエネルギーが対象のチャネルまたは帯域において検出可能であるかどうかに基づいて（例えば、ＯＦＤＭ１送信機３５０と通信する受信機によって）チャネル可用性チェックが最初に行われる。キャリアまたはエネルギーが検出されない場合、スイッチングモジュールは、ＯＦＤＭ２シンボルのセットとして送信するために、ＯＦＤＭ２情報を包含するＦＤＳ信号（またはＴＤＳ信号）をＯＦＤＭ１  ＩＦＦＴ３５４（またはＯＦＤＭ１  ＲＦ３５６）にルーティングする。いくつかの実装形態では、スイッチングモジュールは、ＯＦＤＭ２情報が送信可能であると判断できる前にチャネル可用性ユニット（図示せず）によって提供されるチャネル可用性指示に頼ってよい。
【００９５】
いくつかの実装形態では、ＯＦＤＭ１送信機３５０が、チャネル可用性チェック後にチャネルをできるだけ早く占有して、ＯＦＤＭ１送信機が自身のＯＦＤＭ２送信を始める可能性がある前に、確実に、他の受信機がチャネルが空いていると見なさないようにすることが望ましい場合がある。いくつかの実装形態では、ＯＦＤＭ１トランシーバ３５０は、所望のＯＦＤＭ２情報が送信に対して利用可能になるまで、ＯＦＤＭ１  ＲＦユニット３５６に直接送り込まれ得る時間領域信号を送信するように構成されてよい。例えば、所望のＯＦＤＭ２情報が（例えば、ＯＦＤＭ２信号生成部３６２において生成され、かつ内挿部３６４および／または信号メモリ３６６において処理された後に）ＯＦＤＭ１  ＩＦＦＴ３５４を通過する必要がある周波数領域信号（ＦＤＳ）の形態である場合、スイッチングモジュールは、（肯定的なチャネル可用性指示を受信する時）所望のＯＦＤＭ２情報が送信される準備ができるまで送信可能であるように、繰り返し可能な時間領域信号（例えば、ＬＴＦおよび／またはＳＴＦのシーケンス）をＯＦＤＭ１  ＲＦユニット３５６にルーティングするように構成されてよい。所望のＯＦＤＭ２情報を送信する前に使用される繰り返し可能な時間領域信号に対する他の可能性が存在する。
【００９６】
図９は、周波数領域において、所定のまたは既定のＷｉ−Ｆｉ情報（例えば、Ｗｉ−Ｆｉヘッダまたはパケット）を伝送するＷｉ−Ｆｉ信号４５６をＬＴＥ信号４７０、４７２に内挿するように構成される、図７ＢのＯＦＤＭ２  ＯＦＤＭ２−ＯＦＤＭ１  ＦＤ内挿部３６４の構成のブロック図例を示す。この例では、周波数領域（ＦＤ）内挿ユニット４５２は、Ｗｉ−Ｆｉシンボルごとに、すなわち、一度に１つのＷｉ−Ｆｉシンボルを内挿するシンボル内挿部４５８を含む。１つの実装形態では、シンボル内挿部４５８は、次の「シンク」関数を使用して、Ｎ個（例えば６４）のＷｉ−ＦｉサブキャリアをＭ個（例えば２０４８）のＬＴＥサブキャリアに内挿する。
2019503111.tif 000003
式中、
2019503111.tif 000004
【００９７】
しかしながら、これは、シンボル内挿部４５８についての単なる１つの関数例である。他の周波数内挿関数を使用して、ＮのＷｉ−ＦｉサブキャリアをＭのＬＴＥサブキャリアにマッピングすることができる。
【００９８】
シンボル内挿部４５８は、１つのＷｉ−Ｆｉシンボル継続時間に対応する周波数領域におけるＷｉ−Ｆｉ信号４５６を入力と受け取る。出力は、１つのＬＴＥシンボル継続時間にわたるＭの時間領域サンプル（例えば２０４８）のセットを生じさせるＬＴＥ  ＩＦＦＴユニット４６０に送り込まれる。いくつかの実装形態では、Ｍのサンプルの時間領域セットは、１つのＷｉ−Ｆｉシンボル継続時間（例えば、３．２μｓ）に対応するように（例えば、サンプルのサブセット（例えば９８）を選択することによって）切り捨てユニット４６２において切り捨てられることで、シンボル内挿部４５８によって処理される１つのＷｉ−Ｆｉシンボル継続時間に対応するＬＴＥ  Ｉ／Ｑデータを生じさせる。ＦＤ内挿ユニット４５２はまた、生じさせたＬＴＥ  Ｉ／Ｑデータを、内挿部４５２によって以前に処理されたＷｉ−Ｆｉシンボルに対して生じさせていたかもしれない任意のＬＴＥ  Ｉ／Ｑデータと連結させる連結ユニット４６４を含む。よって、Ｗｉ−Ｆｉシンボルは、Ｗｉ−Ｆｉ信号におけるＷｉ−Ｆｉシンボルの全てが処理されるまで、ＦＤ内挿ユニット４５２において処理される。連結ユニット４６４は、（Ｗｉ−Ｆｉ信号全体に対応する連結されたＬＴＥ  Ｉ／Ｑデータで形成される、例えば、図７ＢのＴＤＳ信号）時間領域ＬＴＥ信号またはＩ／Ｑベクトル４７０を生じさせて、これが次いで、従来のＬＴＥ  ＲＦ回路構成（例えば、図７ＢのＯＦＤＭ１  ＲＦユニット３５６）によって処理できるようにする。ＦＤ内挿ユニット４５２は、いくつかの実装形態では、従来のＬＴＥ  ＩＦＦＴ回路構成（例えば、図７ＢのＯＦＤＭ１  ＩＦＦＴユニット３５４）によって処理可能である周波数領域における対応するＬＴＥ信号４７２（例えば、図７ＢのＦＤＳ信号）を得るためのＬＴＥ  ＦＦＴユニット４６８を含んでよい。代替的には、ＬＴＥ  ＦＦＴユニット４６８は、従来のＬＴＥ受信チェーンにおいて使用されるのと同じである。他の実装形態が可能である。
【００９９】
図１０Ａは、図７ＡのＯＦＤＭ送信機３００の例示の方法６００を示す。この方法では、ＯＦＤＭ送信機３００は、基本シンボル継続時間Ｔ１を規定する基本サブキャリア周波数間隔Δｆ１を有する基本の複数のサブキャリアＭ１を使用して第１のＯＦＤＭシンボル送信のために構成されると想定される。ステップ６０２では、方法６００は、複数の第２のＯＦＤＭシンボルの時間領域表現ＴＤ２を得ることを含み、この複数の第２のＯＦＤＭシンボルのそれぞれは、第２のサブキャリア周波数間隔Δｆ２＜Δｆ１および第２のシンボル継続時間Ｔ２＞Ｔ１を有する第２の複数のサブキャリアＮ２に関連付けられている。ステップ６０４では、方法は、Ｍ１ポイント時間領域表現ＴＤ１を生成するためにＴＤ２を内挿することを含み、ステップ６０６では、方法は、生成される時間領域表現ＴＤ１に基づいて第１のＯＦＤＭシンボル送信を送信することを含む。
【０１００】
いくつかの実装形態では、方法６００は、ＴＤ１の周波数領域表現ＦＤ１を生成するためにＴＤ１のＭ１ポイント高速フーリエ変換（ＦＦＴ）を行うことと、第１のＯＦＤＭシンボル送信を生成するためにＭ１ポイント逆ＦＦＴ（ＩＦＦＴ）を行うこととを含む。他の実装形態では、複数の第２のＯＦＤＭシンボルのそれぞれは、Ｎ２ポイントによってＴＤ２において表現され、ここで、Ｎ２はＭ１より小さい。他の実装形態では、ＴＤ２を内挿することは、時間領域表現ＴＤ１に対するＭ１ポイントを得るためにＴＤ２をリサンプルすることを含む。さらに他の実装形態では、得ることは、Ｎ２ポイント逆ＦＦＴ（ＩＦＦＴ）を使用してＴＤ２を生成することを含む。他の実装形態では、得ることはメモリからＴＤ２を読み取ることを含む。
【０１０１】
いくつかの実装形態では、Ｍ１はＬＴＥサブキャリアの数であり、Ｎ２はＷｉ−Ｆｉサブキャリアの数である。他の実装形態では、Ｍ１＝２０４８、Δｆ１＝１５ｋＨｚ、Ｔ１＝６６．７μｓ、Ｎ２＝６４、Δｆ２＝３１２．５ｋＨｚ、およびＴ２＝３．２μｓである。他の実装形態が可能である。
【０１０２】
図１０Ｂは、図７ＢのＯＦＤＭ送信機３５０に対する例示の方法７００を示す。この方法では、ＯＦＤＭ送信機３５０は、基本シンボル継続時間Ｔ１を規定する基本サブキャリア周波数間隔Δｆ１を有する基本の複数のサブキャリアＭ１を使用して第１のＯＦＤＭシンボル送信のために構成されると想定される。方法７００は、ステップ７０２、７０４、７０６、７０８のセットを含み、これらは、第２のサブキャリア周波数間隔Δｆ２＞Δｆ１および第２のシンボル継続時間Ｔ２＜Ｔ１を有する第２の複数のサブキャリアＮ２に関連付けられた複数の第２のＯＦＤＭシンボルのそれぞれに対して行われる。最初に、方法７００は、ステップ７０２において、ＦＤ２のＭ１ポイント周波数領域表現ＦＤ１を生成するために１つの第２のＯＦＤＭシンボルの周波数領域表現ＦＤ２を内挿することを含む。ステップ７０４では、方法７００は、次いで、１つの第２のＯＦＤＭシンボルのＭ１ポイント時間領域表現ＴＤ１を生成するためにＦＤ１の逆高速フーリエ変換（ＩＦＦＴ）を行うことと、第２のシンボル継続時間に等しいシンボル継続時間になるようにステップ７０６においてＴＤ１を切り捨てることとを含む。方法７００は、ステップ７０８において、連結した時間領域表現ＣＴＤ１を生じさせるために、切り捨てられたＴＤ１を、任意の以前に連結させたＴＤ１と連結することをさらに含む。ステップ７１０において、ステップ７０２〜７０８が、複数の第２のＯＦＤＭシンボルの最後のものに対して行われた場合、方法７００はステップ７１２に進み、ここでステップ７１２は、連結させた時間領域表現ＣＴＤ１に基づいて第１のＯＦＤＭシンボル送信を送信することを含む。その他の場合、方法７００は、次の第２のＯＦＤＭシンボルのためにステップ７０２〜７０８に戻ってこれらステップを第２のＯＦＤＭシンボルの全てが処理されるまで行う。
【０１０３】
いくつかの実装形態では、方法は、ＣＴＤ１の周波数領域表現ＦＤ１を生成するためにＣＴＤ１のＭ１ポイント高速フーリエ変換（ＦＦＴ）を行うことと、複数の第２のＯＦＤＭシンボルを表す第１のＯＦＤＭシンボル送信を生成するためにＭ１ポイントＩＦＦＴを行うこととをさらに含む。
【０１０４】
いくつかの実装形態では、ＦＤ２の内挿は以下の関数に従って行われる。
2019503111.tif 000005
式中、
2019503111.tif 000006
【０１０５】
いくつかの実装形態では、Ｍ１はＬＴＥサブキャリアの数であり、Ｎ２はＷｉ−Ｆｉサブキャリアの数である。他の実装形態では、Ｍ１＝２０４８、Δｆ１＝１５ｋＨｚ、Ｔ１＝６６．７μｓ、Ｎ２＝６４、Δｆ２＝３１２．５ｋＨｚ、および／または、Ｔ２＝３．２μｓである。他の実装形態が可能である。
【０１０６】
シミュレーションテストによって、上述される原理に基づいて生成されたＯＦＤＭ２シンボル（例えば、Ｗｉ−Ｆｉシンボル）が、ＯＦＤＭ１サブキャリアによるＯＦＤＭ１送信機（例えば、ＬＴＥ）によって生成されたという事実にかかわらず、ＯＦＤＭ２受信機（例えば、Ｗｉ−Ｆｉ）によって受信かつ復調可能であることが示されている。いくつかの実装形態では、ＯＦＤＭ２受信機は、ＮのＯＦＤＭ２サブキャリアを使用して、ＭのＯＦＤＭ１サブキャリアによって生成されたＯＦＤＭ２シンボルのセットを受信するように構成される。他の実装形態では、ＯＦＤＭ２受信機は、ＯＦＤＭ１送信機におけるＭポイントＩＦＦＴによって生成されたＯＦＤＭ２シンボルセットを受信するためのＮポイントＦＦＴを含む。ＯＦＤＭ２受信機についての他の可能性が存在する。さらに他の実装形態では、ＯＦＤＭ２シンボルセットは、ＯＦＤＭ２シンボルセットに関連付けられた、送信長、送信時間、送信タイプ、およびチャネル予約時間のうちの１つを指示するＯＦＤＭ２制御またはパケットデータ、ＯＦＤＭ２シンボルセット後に送信されたＯＦＤＭ１シンボルセット、または、これらの組み合わせを含む。ＯＦＤＭ２受信機についての他の可能性が存在する。
【０１０７】
図１１は、本明細書に説明される原理に従って、図７Ａ〜図７ＢのＯＦＤＭ送信機３００、３５０の別の例示の方法８００のフローチャートを示す。この方法では、ＯＦＤＭ送信機３００、３５０は、基本シンボル継続時間を規定する基本サブキャリア周波数間隔を有する基本の複数のサブキャリアを使用してＯＦＤＭシンボルの第１のセットの送信のために構成されると想定される。ステップ８０２では、方法８００は、基本の複数のサブキャリアを使用して、１つの基本シンボル継続時間中にＯＦＤＭシンボルの第２のセットを送信することを含み、ＯＦＤＭシンボルの第２のセットのそれぞれは、第２のＣＰを含み、かつ基本シンボル継続時間より短い第２のシンボル継続時間を有する。オプションとして、ステップ８０４では、方法８００は、基本の複数のサブキャリアを使用して、ＯＦＤＭシンボルの第１のセットを送信することを含むこともでき、ＯＦＤＭシンボルの第１のセットのそれぞれは、基本ＣＰを含み、かつ基本シンボル継続時間を有する。方法はまた、オプションとして、基本の複数のサブキャリアを使用して、１つの基本シンボル継続時間中にＯＦＤＭシンボルの第３のセットを送信することを含んでよく、ＯＦＤＭシンボルの第３のセットのそれぞれは、第３のＣＰを含み、かつ、基本シンボル継続時間より短い第３のシンボル継続時間を有する。
【０１０８】
図１２Ａ〜図１２Ｂは、本開示の原理に従って、基本ＯＦＤＭ１サブキャリアを使用して生成されるＯＦＤＭ２シンボルをそれぞれ送信または受信するように構成される、（基本の）ＯＦＤＭ１送信ノード１０００（例えば、ＬＴＥ送信機）およびＯＦＤＭ２受信ノード（例えば、Ｗｉ−Ｆｉ受信機）の例示の実施形態のブロック図である。
【０１０９】
図１２Ａに示されるように、ＯＦＤＭ１送信ノード１０００は、トランシーバ１００２、１つまたは複数のプロセッサ１００４、およびメモリ１００６を含み、該メモリは、生成モジュール１００８、内挿モジュール１０１０、信号メモリモジュール１０１２、スイッチングモジュール１０１４、および送信モジュール１０１６の１つまたは複数を含む。１つの実施形態では、トランシーバ１００２は、送信機および受信機（図示せず）と置き換えられてよい。生成モジュール１００８は、所定のまたは既定のＯＦＤＭ２情報を包含するＯＦＤＭ２信号を生成すること（時間領域または周波数領域）を含む、上述される信号生成機能性を果たすように構成される。内挿モジュール１０１０は、所定のまたは既定のＯＦＤＭ２情報を表すＯＦＤＭ１信号を生じさせる（時間領域または周波数領域）ためにＯＦＤＭ２信号を内挿することを含む、上述される内挿機能性を果たすように構成される。信号メモリモジュール１０１２は、生成されるＯＦＤＭ１信号、またはＯＦＤＭ２情報を包含する所定のＯＦＤＭ１信号を記憶することを含む、上述される記憶機能性を果たすように構成される。スイッチングモジュール１０１４は、ＯＦＤＭ２シンボルのセットとして送信するためにＯＦＤＭ２情報を包含するＯＦＤＭ１信号をルーティングすること、または、ＯＦＤＭ１シンボルのセットとして送信するためにＯＦＤＭ１送信チェーンの出力をルーティングすることを含む、上述されるスイッチング機能性を果たすように構成される。送信モジュール１０１６は、ＯＦＤＭ１複数のサブキャリアを使用して、１つのＯＦＤＭ１シンボル継続時間中にＯＦＤＭ２シンボルのセットを送信すること、および、ＯＦＤＭ１複数のサブキャリアを使用して、ＯＦＤＭ１シンボル継続時間のそれぞれにＯＦＤＭ１シンボルのセットを送信することを含む、上述される送信機能を果たすように構成される。
【０１１０】
実装形態に左右されて（例えば、ＯＦＤＭ２情報がオンザフライで生成されるまたは必要とされる時にメモリから抽出されるかどうかにかかわらず）、生成、内挿、記憶、および／またはスイッチング機能の全てが、上記のようにおよびそのように行われる必要があるとは限らず、これらのモジュールのいくつかはオプションであってよい。例えば、１つの実装形態では、ＯＦＤＭ２情報は、前もって信号メモリモジュール１０１２に記憶され、メモリ１００６は、上述される機能をそれぞれ果たす、信号メモリモジュール１０１２、スイッチングモジュール１０１４、および送信モジュール１０１６のみを含む。生成モジュール１００８、内挿モジュール１０１０、信号メモリモジュール１０１２、スイッチングモジュール、および送信モジュール１０１６は、ＯＦＤＭ１送信ノード１０００内のプロセッサ１００４によって実行される、または２つ以上のノード（例えば、ＯＦＤＭ１送信ノード１０００および別のノード）にわたって分散されるソフトウェアまたは（コンピュータ実施）命令の形態で少なくとも部分的にメモリ１００６において実装される。別の例では、プロセッサ１００４は、上述される生成、内挿、記憶、スイッチング、および送信機能性のいくつかまたは全てを提供する１つまたは複数のハードウェアコンポーネント（例えば、特定用途向け集積回路（ＡＳＩＣ））を含む。別の実施形態では、プロセッサ１００４は１つまたは複数のハードウェアコンポーネント（例えば、中央処理装置（ＣＰＵ））を含み、上述される生成、内挿、記憶、スイッチング、および送信機能性のいくつかまたは全ては、例えば、メモリ１００６に記憶され、かつプロセッサ１００４によって実行されるソフトウェアで実装される。さらに別の実施形態では、プロセッサ１００４およびメモリ１００６は、上述される生成、内挿、記憶、スイッチング、および送信機能性を果たすように構成される処理手段（図示せず）を形成する。
【０１１１】
図１２Ｂに示されるように、ＯＦＤＭ２受信ノード１１００は、トランシーバ１１０２、１つまたは複数のプロセッサ１１０４、およびメモリ１１０６を含み、該メモリは、受信モジュール１１０８、および送信制御モジュール１１１０を含む。１つの実施形態では、トランシーバ１１０２は、送信機および受信機（図示せず）と置き換えられてよい。受信モジュール１１０８は、上記のように、ＯＦＤＭ１サブキャリアを使用して、ＯＦＤＭ１送信ユニットから送信されるＯＦＤＭ２シンボルのセットを受信することを含む、上述される受信機能性を果たすように構成される。送信制御モジュール１１１０は、ＯＦＤＭ２シンボルが、ＯＦＤＭ２シンボルセット、および、ＯＦＤＭ１送信ユニットによって送信されるＯＦＤＭ１シンボルのセットのうちの少なくとも１つに関連付けられた、送信長、送信時間、送信タイプ、および／またはチャネル予約時間のうちの１つを指示するデータを包含するかどうかを判断すること、および、上記のように包含する場合、受信されるデータに基づいて送信することを控えることを含む、上述される送信制御機能性を果たすように構成される。
【０１１２】
受信モジュール１１０８および送信制御モジュール１１１０は、ＯＦＤＭ２受信ノード１１００内のプロセッサ１１０４によって実行される、または２つ以上のノード（例えば、ＯＦＤＭ２受信ノード１１００および別のノードまたはデバイス）にわたって分散されるソフトウェアまたは（コンピュータ実施）命令の形態で少なくとも部分的にメモリ１１０６において実装される。別の例では、プロセッサ１１０４は、上述される受信および送信制御機能性のいくつかまたは全てを提供する１つまたは複数のハードウェアコンポーネント（例えば、特定用途向け集積回路（ＡＳＩＣ））を含む。別の実施形態では、プロセッサ１１０４は１つまたは複数のハードウェアコンポーネント（例えば、中央処理装置（ＣＰＵ））を含み、上述される受信および送信制御機能性のいくつかまたは全ては、例えば、メモリ１１０６に記憶され、かつプロセッサ１１０４によって実行されるソフトウェアにおいて実装される。さらに別の実施形態では、プロセッサ１１０４およびメモリ１１０６は、上述される受信および送信制御機能性を果たすように構成される処理手段（図示せず）を形成する。
【０１１３】
図１３Ａ〜図１３Ｂは、それぞれ、ＯＦＤＭ送信ノード１２００およびＯＦＤＭ受信ノード１３００と示される、図１２Ａ〜図１２ＢのＯＦＤＭ送信および受信ノード例のそれぞれのバリアントを示す。ノード１２００、１３００のそれぞれは、トランシーバ１２０２、１３０２、および、１つまたは複数のプロセッサ１２０４、１３０４によって実行される時、それらの各ノード１２００、１３００に、上述される生成、内挿、記憶、スイッチング、送信、受信、および送信制御機能性のいくつかまたは全てを果たさせる（コンピュータ実施）命令を包含する回路構成を含む。さらに別のバリアントでは、回路構成は、各メモリ１２０６、１３０６、およびプロセッサ１２０４、１３０４を含み、これらは、図１２Ａ〜図１２Ｂの例示のノード１０００および１１００と同様に、多くの異なるやり方で実装されてよい。１つの例では、メモリ１２０６、１３０６は、実行される時、各ノード１２００、１３００に、上述される生成、内挿、記憶、スイッチング、送信、受信、および送信制御機能性のいくつかまたは全てを果たさせる命令を包含する。他の実装形態が可能である。
【０１１４】
本発明が、詳細に示され、かつ本明細書に上述されるものに限定されないことは、当業者には理解されるであろう。さらに、特に言及しない限り、添付の図面の全てが一定尺度ではないことは留意されるべきである。本開示の範囲を逸脱することなく、上記の教示を考慮してさまざまな修正および変形が可能である。
【図１】
2019503111.tif 000007
【図２】
2019503111.tif 000008
【図３】
2019503111.tif 000009
【図４Ａ】
2019503111.tif 000010
【図４Ｂ】
2019503111.tif 000011
【図５】
2019503111.tif 000012
【図６Ａ】
2019503111.tif 000013
【図６Ｂ】
2019503111.tif 000014
【図７Ａ】
2019503111.tif 000015
【図７Ｂ】
2019503111.tif 000016
【図８】
2019503111.tif 000017
【図９】
2019503111.tif 000018
【図１０Ａ】
2019503111.tif 000019
【図１０Ｂ】
2019503111.tif 000020
【図１１】
2019503111.tif 000021
【図１２Ａ】
2019503111.tif 000022
【図１２Ｂ】
2019503111.tif 000023
【図１３Ａ】
2019503111.tif 000024
【図１３Ｂ】
2019503111.tif 000025
【国際調査報告】
2019503111.tif 000026
2019503111.tif 000027